(57)【特許請求の範囲】
【請求項１】
リレーノードと通信を行う基地局であって、
他の基地局の配下のセルから、当該基地局の配下のセルに、リレーノードをハンドオーバさせる制御を行う際に、該リレーノードに、ハンドオーバ先のセルに隣接するセルの無線品質の測定を依頼し、
該依頼に従って前記リレーノードにより通知された無線品質の測定結果に基づいて、前記リレーノードにより通知された無線品質の測定結果が所定の閾値よりよいことを表すセルに対応する隣接セルリストに前記リレーノードの配下のセルを追加し、前記リレーノードにより通知された無線品質の測定結果が所定の閾値より悪いことを表すセルに対応する隣接セルリストから前記リレーノードの配下のセルを削除することにより当該基地局の配下のセルに対応する隣接セルリストを更新する制御部
を備える、基地局。
【請求項２】
請求項１に記載の基地局において、
前記制御部は、前記依頼に従って前記リレーノードにより通知された無線品質の測定結果に基づいて、ハンドオーバ先のセルに隣接するセルを配下に有する基地局に、隣接セルリストを更新する指示を行う、基地局。
【請求項３】
請求項２に記載の基地局において、
前記制御部は、前記リレーノードにより測定された無線品質が所定の閾値よりよいセルを配下に有する基地局に、前記リレーノードの配下のセルを追加することを指示する信号を送信し、前記リレーノードにより測定された無線品質が所定の閾値より悪いセルを配下に有する基地局に、前記リレーノードの配下のセルを削除することを指示する信号を送信する、基地局。
【請求項４】
リレーノードと通信を行う基地局における通信方法であって、
他の基地局の配下のセルから、当該基地局の配下のセルに、リレーノードをハンドオーバさせる制御を行う際に、該リレーノードに、ハンドオーバ先のセルに隣接するセルの無線品質の測定を依頼する無線品質測定依頼ステップと、
該無線品質測定依頼ステップによる依頼に従って前記リレーノードにより通知された無線品質の測定結果に基づいて、前記リレーノードにより通知された無線品質の測定結果が所定の閾値よりよいことを表すセルに対応する隣接セルリストに前記リレーノードの配下のセルを追加し、前記リレーノードにより通知された無線品質の測定結果が所定の閾値より悪いことを表すセルに対応する隣接セルリストから前記リレーノードの配下のセルを削除することにより当該基地局の配下のセルに対応する隣接セルリストを更新する隣接セルリスト更新ステップと
を有する、通信方法。
【請求項５】
リレーノードと、該リレーノードと通信を行う基地局とを有する無線通信システムであって、
前記基地局は、
他の基地局の配下のセルから、当該基地局の配下のセルに、リレーノードをハンドオーバさせる制御を行う際に、該リレーノードに、ハンドオーバ先のセルに隣接するセルの無線品質の測定を依頼し、
該依頼に従って前記リレーノードにより通知された無線品質の測定結果に基づいて、前記リレーノードにより通知された無線品質の測定結果が所定の閾値よりよいことを表すセルに対応する隣接セルリストに前記リレーノードの配下のセルを追加し、前記リレーノードにより通知された無線品質の測定結果が所定の閾値より悪いことを表すセルに対応する隣接セルリストから前記リレーノードの配下のセルを削除することにより当該基地局の配下のセルに対応する隣接セルリストを更新する第１の制御部
を有し、
前記リレーノードは、
前記基地局からの前記ハンドオーバ先のセルに隣接するセルの無線品質の測定の依頼に応じて、該ハンドオーバ先のセルに隣接するセルの無線品質の測定を制御し、
該制御に従って測定された前記ハンドオーバ先のセルに隣接するセルの無線品質がよいかどうかを判定する第２の制御部と、
前記基地局に、前記第２の制御部により判定された結果を通知する無線インタフェースと
を有する、無線通信システム。
【発明の詳細な説明】
【技術分野】
【０００１】
本発明は、無線通信システムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）に従って無線通信を行うネットワーク（以下、「ＬＴＥネットワーク」という）のカバレッジの拡充・容量拡張の目的でリレーノード（ＲＮ：  Ｒｅｌａｙ  Ｎｏｄｅ）が検討されている。
【０００３】
リレーノードとは、ＬＴＥに従って無線通信を行う基地局（ｅＮＢ：  ｅＮｏｄｅＢ）と、ＬＴＥに対応する移動端末（ＵＥ：  Ｕｓｅｒ  Ｅｑｕｉｐｍｅｎｔ）（以下、「ユーザ端末」という）との間をそれぞれの無線インタフェースで中継するノードである。
【０００４】
リレーノードに関して、以下のことが知られている（例えば、非特許文献１参照）。
【０００５】
リレーノードと、ネットワークとの間は、ドナー基地局（ＤｅＮＢ：  Ｄｏｎｏｒ  ｅＮＢ）で接続される。ここで、ドナー基地局とは、リレーノードを意識して通信を行う機能を基地局に追加したものである。
【０００６】
リレーノードは、１つのセルを有する。該１つのセルは、ドナー基地局の有するセルとは独立である。リレーノードは、ＲＲＣ（Ｒａｄｉｏ  Ｒｅｓｏｕｒｃｅ  Ｃｏｎｔｒｏｌ）プロトコルを終端し、独立に制御できる。
【０００７】
リレーノードは、電車等の乗り物や、イベント会場などの小規模なエリアでの利用が想定される。乗り物や、小規模なエリアで利用することにより収容する領域を延長したり、収容能力を強化したりすることができる。また、リレーノードによりカバーされるセルの領域は、基地局の配下のマクロセルの領域や、ドナー基地局の配下のマクロセルの領域と比較して狭いことが想定される。
【先行技術文献】
【非特許文献】
【０００８】
【非特許文献１】３ＧＰＰ  ＴＳ３６．３００  Ｖ１０．３．０、  “４．７  Ｓｕｐｐｏｒｔ  ｆｏｒ  ｒｅｌａｙｉｎｇ”、  ２０１１−０３
【発明の概要】
【発明が解決しようとする課題】
【０００９】
基地局や、ドナー基地局は、配下のセル毎に、該セルに隣接するセルを表す情報を含むリスト（以下、「隣接セルリスト」という）を保持している。ユーザ端末は、ハンドオーバの際に、隣接セルリストを利用する。
【００１０】
ユーザ端末には基地局や、ドナー基地局から隣接セルリストが通知される。ユーザ端末は、隣接セルリストに基づいて、周辺セルサーチを実施する。
【００１１】
図１、図２には、リレーノードの移動例が示される。
【００１２】
ドナー基地局、基地局は、隣接セルリストに、リレーノードの配下のセルを表す情報を加える。リレーノードの移動の際には、該リレーノードの移動に伴い、該リレーノードの配下のセルも移動する。ドナー基地局、基地局は、リレーノードの移動に伴い、隣接セルリストに、リレーノードの配下のセルを表す情報を追加したり、削除したりする。
【００１３】
図１に示される例では、リレーノードの配下のセルＣｅｌｌ＿Ｒ−１は、ドナー基地局＃０（ＤｅＮＢ＃０）の配下のセルＣｅｌｌ＿０−０によりカバーされる領域、及びセルＣｅｌｌ＿０−１によりカバーされる領域と少なくとも一部が重複する領域をカバーする。この状態で、ドナー基地局＃０のセルＣｅｌｌ＿０−０の隣接セルには、セルＣｅｌｌ＿０−１と、セルＣＥｌｌ＿Ｒ−１とが含まれる。ドナー基地局＃０のセルＣｅｌｌ＿０−１の隣接セルには、セルＣｅｌｌ＿０−０と、セルＣＥｌｌ＿Ｒ−１とが含まれる。ドナー基地局＃０のセルＣｅｌｌ＿０−２の隣接セルには、セルＣｅｌｌ＿０−１と、セルＣＥｌｌ＿１−０とが含まれる。
【００１４】
図２は、図１に示される状態から、リレーノードが移動した状態を示す。
【００１５】
図２に示される例では、リレーノードの配下のセルＣｅｌｌ＿Ｒ−１が、ドナー基地局＃０のセルＣｅｌｌ＿０−２の一部の領域をカバーする。この状態で、ドナー基地局＃０のセルＣｅｌｌ＿０−０の隣接セルには、セルＣｅｌｌ＿０−１が含まれる。リレーノードの移動に伴って、ドナー基地局＃０のセルＣｅｌｌ＿０−０の隣接セルから、リレーノードの配下のセルＣｅｌｌ＿Ｒ−１を表す情報が削除されるためである。ドナー基地局＃０のセルＣｅｌｌ＿０−１の隣接セルには、セルＣｅｌｌ＿０−０が含まれる。リレーノードの移動に伴って、ドナー基地局＃０のセルＣｅｌｌ＿０−１の隣接セルから、リレーノードの配下のセルＣｅｌｌ＿Ｒ−１が削除されるためである。ドナー基地局＃０のセルＣｅｌｌ＿０−２の隣接セルには、セルＣｅｌｌ＿０−１と、セルＣｅｌｌ＿１−０と、Ｃｅｌｌ＿Ｒ−１とが含まれる。リレーノードの移動に伴って、ドナー基地局＃０のセルＣｅｌｌ＿０−２の隣接セルとして、リレーノードの配下のセルＣｅｌｌ＿Ｒ−１を表す情報が追加されるためである。
【００１６】
図３は、リレーノードの移動に伴って、隣接セルリストに、リレーノードの配下のセルを表す情報を追加したり、削除したりする処理の詳細を示す。
【００１７】
図３において、リレーノードの配下のセル（Ｒｅｌａｙ  Ｃｅｌｌ）は、ドナー基地局＃０（ＤｅＮＢ＃０）の配下のセルＣｅｌｌ＿０−１によりカバーされる領域の端の一部（図３では、「Ａ」により表される）から、ドナー基地局＃０（ＤｅＮＢ＃０）の配下のセルＣｅｌｌ＿０−２によりカバーされる領域の中心の一部（図３では、「Ｂ」により表される）経て、ドナー基地局＃１（ＤｅＮＢ＃１）の配下のセルＣｅｌｌ＿１−５によりカバーされる領域の中心の一部（図３では、「Ｃ」により表される）に移動する。つまり、リレーノードは、ドナー基地局＃０（ＤｅＮＢ＃０）の配下のセルＣｅｌｌ＿０−１から、ドナー基地局＃０（ＤｅＮＢ＃０）の配下のセルＣｅｌｌ＿０−２へハンドオーバし、さらに、ドナー基地局＃１（ＤｅＮＢ＃１）の配下のセルＣｅｌｌ＿１−５にハンドオーバする。
【００１８】
リレーノードがドナー基地局＃０（ＤｅＮＢ＃０）の配下のセルＣｅｌｌ＿０−１と接続されている場合、該セルＣｅｌｌ＿０−１の隣接セルは、リレーノードの配下のセルＣｅｌｌ＿Ｒ−１を表す情報を登録する。具体的には、ドナー基地局＃０（ＤｅＮＢ＃０）は、当該ドナー基地局＃０の配下のセルＣｅｌｌ＿０−０、セルＣｅｌｌ＿０−２、セルＣｅｌｌ＿０−３、セルＣｅｌｌ＿０−４、セルＣｅｌｌ＿０−５に、隣接セルとして、リレーノードの配下のセルＣｅｌｌ＿Ｒ−１を表す情報を登録する。また、基地局＃１（ｅＮＢ＃１）は、当該基地局＃１の配下のセルＣｅｌｌ＿ｅ１−３、セルＣｅｌｌ＿ｅ１−４、セルＣｅｌｌ＿ｅ１−５に、隣接セルとして、リレーノードの配下のセルＣｅｌｌ＿Ｒ−１を表す情報を登録する。
【００１９】
リレーノードがドナー基地局＃０のセルＣｅｌｌ＿０−２に移動した場合について説明する。リレーノードの配下のセルがドナー基地局＃０（ＤｅＮＢ＃０）の配下のセルＣｅｌｌ＿０−２によりカバーされる領域の中心の一部に移動する。
【００２０】
リレーノードがドナー基地局＃０（ＤｅＮＢ＃０）の配下のセルＣｅｌｌ＿０−２と接続されている場合、該セルＣｅｌｌ＿０−２の隣接セルは、リレーノードの配下のセルＣｅｌｌ＿Ｒ−１を表す情報を登録する。具体的には、ドナー基地局＃０（ＤｅＮＢ＃０）は、当該ドナー基地局＃０の配下のセルＣｅｌｌ＿０−０、セルＣｅｌｌ＿０−１、セルＣｅｌｌ＿０−３、セルＣｅｌｌ＿０−４、セルＣｅｌｌ＿０−５に、隣接セルとして、リレーノードの配下のセルＣｅｌｌ＿Ｒ−１を表す情報を登録する。また、ドナー基地局＃１（ＤｅＮＢ＃１）は、当該ドナー基地局＃１の配下のセルＣｅｌｌ＿１−０、セルＣｅｌｌ＿１−４、セルＣｅｌｌ＿１−５に、隣接セルとして、リレーノードの配下のセルＣｅｌｌ＿Ｒ−１を表す情報を登録する。また、基地局＃０（ｅＮＢ＃０）は、当該基地局＃０の配下のセルＣｅｌｌ＿ｅ０−０、セルＣｅｌｌ＿ｅ０−１に、隣接セルとして、リレーノードの配下のセルＣｅｌｌ＿Ｒ−１を表す情報を登録する。また、基地局＃１（ｅＮＢ＃１）は、当該基地局＃１の配下のセルＣｅｌｌ＿ｅ１−３、セルＣｅｌｌ＿ｅ１−４に、隣接セルとして、リレーノードの配下のセルＣｅｌｌ＿Ｒ−１を表す情報を登録する。
【００２１】
リレーノードがドナー基地局＃１のセルＣｅｌｌ＿１−５に移動した場合について説明する。リレーノードの配下のセルがドナー基地局＃１（ＤｅＮＢ＃１）の配下のセルＣｅｌｌ＿１−５によりカバーされる領域の中心の一部に移動する。
【００２２】
リレーノードがドナー基地局＃１（ＤｅＮＢ＃１）の配下のセルＣｅｌｌ＿１−５と接続されている場合、該セルＣｅｌｌ＿１−５の隣接セルは、リレーノードの配下のセルＣｅｌｌ＿Ｒ−１を表す情報を登録する。具体的には、ドナー基地局＃０（ＤｅＮＢ＃０）は、当該ドナー基地局＃０の配下のセルＣｅｌｌ＿０−０、セルＣｅｌｌ＿０−１、セルＣｅｌｌ＿０−２、セルＣｅｌｌ＿０−３に、隣接セルとして、リレーノードの配下のセルＣｅｌｌ＿Ｒ−１を表す情報を登録する。また、ドナー基地局＃１（ＤｅＮＢ＃１）は、当該ドナー基地局＃１の配下のセルＣｅｌｌ＿１−０、セルＣｅｌｌ＿１−１、セルＣｅｌｌ＿１−２、セルＣｅｌｌ＿１−３、セルＣｅｌｌ＿１−４に、隣接セルとして、リレーノードの配下のセルＣｅｌｌ＿Ｒ−１を表す情報を登録する。また、基地局＃０（ｅＮＢ＃０）は、当該基地局＃０の配下のセルＣｅｌｌ＿ｅ０−０、セルＣｅｌｌ＿ｅ０−１に、隣接セルとして、リレーノードの配下のセルＣｅｌｌ＿Ｒ−１を表す情報を登録する。また、基地局＃１（ｅＮＢ＃１）は、当該基地局＃１の配下のセルＣｅｌｌ＿ｅ１−３、セルＣｅｌｌ＿ｅ１−４に、隣接セルとして、リレーノードの配下のセルＣｅｌｌ＿Ｒ−１を表す情報を登録する。
【００２３】
リレーノードの配下のセルの領域は、ドナー基地局、基地局の配下のセルの領域よりも狭いことが想定される。リレーノードの配下のセルＣｅｌｌ＿Ｒ−１が、「Ｂ」に移動した場合について考える。「Ｂ」は、ドナー基地局＃０（ＤｅＮＢ＃０）の配下のセルＣｅｌｌ＿０−２によりカバーされる領域の中心の一部であるため、該Ｃｅｌｌ＿０−２の隣接セルにおいて、リレーノードの配下のセルが隣接セルになる可能性は低い。
【００２４】
このような隣接セルになる可能性が低いリレーノードの配下のセルを登録することは、隣接セル間の制御信号のルートの設定を余分に行うことになるため、処理負荷の増大に繋がる。
【００２５】
一方、隣接セルに登録する必要があるかどうかは、ドナー基地局、基地局では判断できない。つまり、電波環境は時間的に変動する場合があるため、リレーノードの配下のセルに在圏しているユーザ端末が移動可能なドナー基地局、基地局を、該ドナー基地局、該基地局は判断できない。また、リレーノードは移動することが想定されるため、リレーノードの配下のセルに在圏しているユーザ端末が移動可能なドナー基地局、基地局を、該ドナー基地局、該基地局は判断できない。
【００２６】
開示の基地局は、リレーノードのハンドオーバの際に、該リレーノードの配下のセルと隣接セルになる可能性があるセルを含む隣接セルリストを最適化することを目的とする。
【課題を解決するための手段】
【００２７】
開示の一実施例の基地局は、
リレーノードと通信を行う基地局であって、
他の基地局の配下のセルから、当該基地局の配下のセルに、リレーノードをハンドオーバさせる制御を行う際に、該リレーノードに、ハンドオーバ先のセルに隣接するセルの無線品質の測定を依頼し、
該依頼に従って前記リレーノードにより通知された無線品質の測定結果に基づいて、前記リレーノードにより通知された無線品質の測定結果が所定の閾値よりよいことを表すセルに対応する隣接セルリストに前記リレーノードの配下のセルを追加し、前記リレーノードにより通知された無線品質の測定結果が所定の閾値より悪いことを表すセルに対応する隣接セルリストから前記リレーノードの配下のセルを削除することにより当該基地局の配下のセルに対応する隣接セルリストを更新する制御部
を有する。
【発明の効果】
【００２８】
開示の実施例によれば、リレーノードのハンドオーバの際に、該リレーノードの配下のセルと隣接セルになる可能性があるセルを含む隣接セルリストを最適化することができる。
【図面の簡単な説明】
【００２９】
【図１】隣接セルの一例を示す図である。
【図２】隣接セルの一例を示す図である。
【図３】リレーノードのハンドオーバの一例を示す図である。
【図４】無線通信システムの一実施例を示す図である。
【図５】ドナー基地局の一実施例を示すブロック図である。
【図６】ドナー基地局の一実施例を示す機能ブロック図である。
【図７】隣接セルリストの一実施例を示す図である。
【図８】隣接セルリスト変更情報（その１）の一実施例を示す図である。
【図９】隣接セルリスト変更情報（その２）の一実施例を示す図である。
【図１０】リレーノードに発生するイベントの一実施例を示す図である。
【図１１】リレーノードのハンドオーバの一実施例を示す図である。
【図１２】リレーノードのハンドオーバの一実施例を示す図である。
【図１３】基地局の一実施例を示すブロック図である。
【図１４】基地局の一実施例を示す機能ブロック図である。
【図１５】リレーノードの一実施例を示すブロック図である。
【図１６】リレーノードの一実施例を示す機能ブロック図である。
【図１７】リレーノードのハンドオーバの一実施例を示す図である。
【図１８】無線通信システムの動作（その１）の一実施例を示す図である。
【図１９】無線通信システムの動作（その２）の一実施例を示す図である。
【図２０】無線通信システムの動作（その３）の一実施例を示す図である。
【図２１】リレーノードのハンドオーバの一例を示す図である。
【図２２】ドナー基地局の一実施例を示す機能ブロック図である。
【図２３】リレーノードのハンドオーバの一実施例を示す図である。
【図２４】無線通信システムの動作（その１）の一実施例を示す図である。
【図２５】無線通信システムの動作（その２）の一実施例を示す図である。
【発明を実施するための形態】
【００３０】
以下、図面に基づいて、実施例を説明する。
なお、実施例を説明するための全図において、同一機能を有するものは同一符号を用い、繰り返しの説明は省略する。
【００３１】
＜第１の実施例＞
＜無線通信システム＞
図４は、無線通信システムの一実施例を示す。
【００３２】
無線通信システムには、ＬＴＥに従って無線通信を行う基地局２００が含まれる。基地局２００は、Ｅ−ＵＴＲＡＮ  Ｎｏｄｅ−Ｂと呼ばれてもよい。基地局２００は、Ｅ−ＵＴＲＡ  Ｕ−Ｐｌａｎｅ、及びＣ−Ｐｌａｎｅを提供する。Ｕ−Ｐｌａｎｅを提供する際に、ＰＤＣＰ（Ｐａｃｋｅｔ  Ｄａｔａ  Ｃｏｎｖｅｒｇｅｎｃｅ  Ｐｒｏｔｏｃｏｌ）、ＲＬＣ（Ｒａｄｉｏ  Ｌｉｎｋ  Ｃｏｎｔｒｏｌ）、ＭＡＣ（Ｍｅｄｉｕｍ  Ａｃｃｅｓｓ  Ｃｏｎｔｒｏｌ）、ＰＨＹに関する処理を行う。Ｃ−Ｐｌａｎｅを提供する際に、ＲＲＣに関する処理を行う。基地局２００は、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のＮｏｄｅ−Ｂと、ＲＮＣに相当する処理を行う。基地局２００は、セル２５０１、２５０２、２５０３をカバーする。基地局２００は、１−２のセルをカバーするようにしてもよいし、４以上のセルをカバーするようにしてもよい。無線通信システムに、２以上の基地局が含まれてもよい。
【００３３】
無線通信システムには、ドナー基地局１００ｎ（ｎは、ｎ＞０の整数）が含まれる。図４には、一例として、ｎが２の場合について示される。ドナー基地局１００１、１００２は、基地局２００に、リレーノードとの間で無線通信できる機能を追加したものである。ドナー基地局１００１は、セル１５０１１、１５０１２、１５０１３をカバーする。ドナー基地局１００２は、セル１５０２１、１５０２２、１５０２３をカバーする。ドナー基地局１００ｎは、１−２のセルをカバーするようにしてもよいし、４以上のセルをカバーするようにしてもよい。無線通信システムに、３以上のドナー基地局が含まれてもよい。
【００３４】
無線通信システムには、ＬＴＥに従って無線通信を行うユーザ端末４００ｍ（ｍは、ｍ＞０の整数）が含まれる。図４には、一例として、ｍが２の場合について示される。例えば、ユーザ端末４００ｍは、上りリンクでは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）に従って無線送信を行う。ユーザ端末４００ｍは、下りリンクでは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に従って送信された無線信号を受信する。
【００３５】
無線通信システムには、リレーノード３００が含まれる。リレーノード３００は、レイヤー３レベルで、ドナー基地局１００１又は１００２と、ユーザ端末４００１及び４００２の少なくとも一方との間の通信を中継するノードである。リレーノードは複数であってもよい。リレーノード３００は、ドナー基地局１００１又は１００２からの下りリンクの信号の復調処理、復号処理を行う。さらに、リレーノード３００は、ユーザデータを再生し、秘匿、ユーザデータ分割・結合処理等を行い、符号化・変調後に、ユーザ端末４００１又は４００２に無線送信する。リレーノード３００は、セル３５０をカバーする。図４に示される例では、リレーノード３００は、ドナー基地局１００１によりカバーされるセル１５０１３と、ドナー基地局１００２によりカバーされるセル１５０２１との間で重複する領域を含む領域をカバーする。
【００３６】
無線通信システムは、交換機６００を有する。交換機６００は、Ｃ−Ｐｌａｎｅを管理するノードと、Ｕ−Ｐｌａｎｅを管理するノードとが含まれてもよい。Ｃ−Ｐｌａｎｅを管理するノードは、ＭＭＥ（Ｍｏｂｉｌｉｔｙ  Ｍａｎａｇｅｍｅｎｔ  Ｅｎｔｉｔｙ）と呼ばれてもよい。Ｃ−Ｐｌａｎｅを管理するノードは、移動端末コンテキストを管理し、格納する。該移動端末コンテキストには、ユーザ識別子、モビリティ状態、セキュリティ等が含まれる。Ｕ−Ｐｌａｎｅを管理するノードは、Ｓ−ＧＷ（Ｓｅｒｖｉｎｇ  Ｇａｔｅｗａｙ）と呼ばれてもよい。Ｕ−Ｐｌａｎｅを管理するノードは、移動端末コンテキストを管理し、格納する。該移動端末コンテキストには、ＩＰベアラサービスパラメータ、ルーティング情報等が含まれる。
【００３７】
ドナー基地局１００１、１００２、基地局２００は、ＩＰネットワーク５００を介して、交換機６００と接続される。
【００３８】
ドナー基地局１００１、１００２、基地局２００の間は、インタフェース５５０を介して接続される。該インタフェース５５０は、ドナー基地局と、基地局との間のインタフェースであり、Ｘ２と呼ばれてもよい。
【００３９】
＜ドナー基地局１００ｎ＞
図５は、ドナー基地局１００ｎの一実施例を示す。
【００４０】
図５には、主に、ハードウェア構成が示される。
【００４１】
ドナー基地局１００ｎは、伝送路インタフェース１０２と、Ｌ２ＳＷ（レイヤー２スイッチ）１０４と、制御部１０６と、ベースバンド処理部１０８と、無線インタフェース１１８とを有する。
【００４２】
無線インタフェース１１８は、当該ドナー基地局１００ｎによりカバーされるセルの数に応じた数の無線インタフェースを有する。図５には、当該ドナー基地局１００ｎにより３セルがカバーされる例が示される。３セルがカバーされる場合、無線インタフェース１１８には、Ｉ／Ｏｐｏｒｔ（入力／出力ポート）１１０１−１１０３と、Ａ／Ｄ変換回路１１２１−１１２３と、広帯域ＡＭＰ１１４１−１１４３と、アンテナ１１６１−１１６３とが含まれる。添え字「１」、「２」、「３」は、それぞれセルに対応する。
【００４３】
伝送路インタフェース１０２は、当該ドナー基地局以外の他のドナー基地局、基地局２００との間のインタフェースである。また、伝送路インタフェース１０２は、交換機６００との間のインタフェースである。図５では、交換機６００は、ＭＭＥと表されている。該ＭＭＥは、ＨＳＳ（Ｈｏｍｅ  Ｓｕｂｓｃｒｉｂｅｒ  Ｓｅｒｖｅｒ）７００と接続される。ＨＳＳ７００は、加入者情報データベースである。ＨＳＳ７００は、認証情報及び在圏情報を管理する。伝送路インタフェース１０２は、Ｘ２インタフェースと呼ばれてもよい。
【００４４】
Ｌ２ＳＷ１０４は、伝送路インタフェース１０２と接続される。Ｌ２ＳＷ１０４は、レイヤー２で、伝送路インタフェース１０２からのパケットの転送先を判断する。Ｌ２ＳＷ１０４は、無線インタフェース１１８に含まれるＩ／Ｏｐｏｒｔ１１０１−１１０３のうち、転送先に対応するＩ／Ｏｐｏｒｔに、伝送路インタフェース１０２からのパケットを転送する。
【００４５】
制御部１０６は、Ｌ２ＳＷ１０４と接続される。制御部１０６は、ＣＰＵ１０６２と、ＭＥＭ（メモリ）１０６４とを有する。
【００４６】
ＣＰＵ１０６２は、ＭＥＭ１０６４に格納されたプログラムに従って、各種制御を行う。ＭＥＭ１０６４には、ドナー基地局として、当該ドナー基地局１００ｎを機能させるためのプログラムが格納される。
【００４７】
制御部１０６は、呼処理を行う。また、制御部１０６は、ＩＰアドレスの割り当てを行う。具体的には、リレーノード３００にＩＰアドレスを割り当てる。さらに、制御部１０６は、リレーノード３００に割り当てたＩＰアドレスをプールする。また、制御部１０６は、リソース管理を行う。また、制御部１０６は、当該ドナー基地局１００ｎと、ユーザ端末４００ｍとの間の接続制御を行う。さらに、制御部１０６は、当該ドナー基地局１００ｎと、ユーザ端末４００ｍとの間の接続管理を行う。また、制御部１０６は、当該ドナー基地局１００ｎと、リレーノード３００との間の接続制御を行う。さらに、制御部１０６は、当該ドナー基地局１００ｎと、リレーノード３００との間の接続管理を行う。また、制御部１０６は、リレーノード３００に、下りリンクの受信品質の測定を指示する。さらに、制御部１０６は、該指示に応じて、リレーノード３００から通知された下りリンクの受信品質を解析する。具体的には、制御部１０６は、該リレーノード３００をハンドオーバさせるべきかどうかを判断する。また、制御部１０６は、当該ドナー基地局１００ｎの各部を監視し、制御する。
【００４８】
＜ドナー基地局１００ｎの機能＞
図６は、ドナー基地局１００ｎの機能の一実施例を示す。
【００４９】
ドナー基地局１００ｎは、メッセージ分析部１０６６と、プロトコル処理部１０６８と、ハンドオーバ制御部１０７０とを有する。メッセージ分析部１０６６の機能と、プロトコル処理部１０６８の機能と、ハンドオーバ制御部１０７０の機能は、ＣＰＵ１０６２により実現される。ＣＰＵ１０６２が、所定のプログラムに従って動作することにより、メッセージ分析部１０６６、プロトコル処理部１０６８、ハンドオーバ制御部１０７０として機能する。ハンドオーバ制御部１０７０は、ハンドオーバ処理部１０７２と、無線品質測定依頼部１０７４と、隣接セルリスト更新部１０７６と、隣接セルリスト更新指示部１０７８とを有する。ハンドオーバ処理部１０７２の機能と、無線品質測定依頼部１０７４の機能と、隣接セルリスト更新部１０７６の機能と、隣接セルリスト更新指示部１０７８の機能は、ＣＰＵ１０６２により実現される。ＣＰＵ１０６２が、所定のプログラムに従って動作することにより、ハンドオーバ処理部１０７２、無線品質測定依頼部１０７４、隣接セルリスト更新部１０７６、隣接セルリスト更新指示部１０７８として機能する。
【００５０】
メッセージ分析部１０６６は、Ｌ２ＳＷ１０４と接続される。メッセージ分析部１０６６は、Ｌ２ＳＷ１０４から入力されるべきメッセージを分析する。具体的には、メッセージ分析部１０６６は、該メッセージの宛先に応じて、ユーザ端末４００ｍ又はリレーノード３００宛である場合には、Ｌ２ＳＷ１０４に入力する。また、メッセージ分析部１０６６は、該メッセージが、リレーノード３００からの下りリンクの無線品質を表す情報、ハンドオーバ先のセルに対応する隣接セルリストに含まれるセルの無線品質の測定結果を表す情報、他のドナー基地局からの隣接セルリスト変更情報である場合には、プロトコル処理部１０６８に入力する。隣接セルリスト変更情報については、後述する。
【００５１】
プロトコル処理部１０６８は、Ｌ２ＳＷ１０４と、メッセージ分析部１０６６と接続される。プロトコル処理部１０６８は、ハンドオーバ制御部１０７０に、メッセージ分析部１０６６からの下りリンクの無線品質を表す情報、ハンドオーバ先のセルに対応する隣接セルリストに含まれるセルの無線品質の測定結果を表す情報を入力する。また、プロトコル処理部１０６８は、ハンドオーバ制御部１０７０に、メッセージ分析部１０６６からの隣接セルリスト変更情報を入力する。また、プロトコル処理部１０６８は、当該ドナー基地局１００ｎの配下のリレーノード３００に通知すべき隣接セルリストを送信するためのプロトコル変換を行う。該隣接セルリストは、Ｘ２メッセージに含まれる。該隣接セルリストは、Ｘ２メッセージに含まれる。
【００５２】
図７は、隣接セルリストの一実施例を示す。
【００５３】
隣接セルリストには、メッセージタイプ（Ｍｅｓｓａｇｅ  Ｔｙｐｅ）と、ハンドオーバリレーＩＤ（Ｈａｎｄｏｖｅｒ  Ｒｅｌａｙ  ＩＤ）と、方向（Ｄｉｒｅｃｔｉｏｎ）と、隣接セル数（Ｎｅｉｇｈｂｏｕｒ  ｃｅｌｌ  ｎｕｍｂｅｒ）とが含まれる。
【００５４】
メッセージタイプは、本メッセージを区別するためのメッセージタイプ、つまり識別子を表す。ハンドオーバリレーＩＤは、本メッセージのトリガーとなった先にハンドオーバを実施したリレーノードの識別ＩＤを表す。方向は、送信方向が、ソース（Ｓｏｕｒｃｅ）からターゲット（Ｔａｒｇｅｔ）であるのか、ターゲットからソースであるのかを表す。つまり、ハンドオーバ元のドナー基地局からハンドオーバ先のドナー基地局への送信であるか、ハンドオーバ先のドナー基地局からハンドオーバ元のドナー基地局への送信であるかを表す。隣接セル数は、隣接セルリストに含まれるセル（情報）の数を表す。
【００５５】
さらに、隣接セルリストには、隣接セル数に応じた数の隣接セル情報が含まれる。隣接セル情報には、Ｅ−ＵＴＲＡＮセルグローバルＩＤ（ＥＣＧＩ：  Ｅ−ＵＴＲＡＮ  Ｃｅｌｌ  Ｇｌｏｂａｌ  ＩＤ）、物理セルＩＤ（ＰＣＩ：  Ｐｈｙｓｉｃａｌ  Ｃｅｌｌ  Ｉｄｅｎｔｉｔｉｅｓ）、ＥＡＲＦＣＮが含まれる。ＥＣＧＩは、隣接セルのＥ−ＵＴＲＡＮセルのグローバルＩＤを表す。ＰＣＩは、隣接セルの物理セルＩＤを表す。ＥＡＲＦＣＮは、ＦＤＤ（Ｆｒｅｑｕｅｎｃｙ  Ｄｉｖｉｓｉｏｎ  Ｄｕｐｌｅｘ）に対する下りリンクのＥＡＲＦＣＮ（Ｅ−ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）を表す。
【００５６】
また、プロトコル処理部１０６８は、当該ドナー基地局１００ｎの配下のセルに在圏するリレーノード３００が、他のドナー基地局の配下のセルにハンドオーバする際に、該他のドナー基地局から通知される隣接セルリスト変更情報を受信するためのプロトコル変換を行う。また、プロトコル処理部１０６８は、当該ドナー基地局１００ｎの配下のセルに、他のドナー基地局の配下のセルに在圏するリレーノード３００がハンドオーバする際に、該他のドナー基地局に通知する隣接セルリスト変更情報を送信するためのプロトコル変換を行う。隣接セルリスト変更情報は、Ｘ２メッセージに含まれる。
【００５７】
図８は、隣接セルリスト変更情報（その１）の一実施例を示す。図８に示される隣接セルリスト変更情報は、ハンドオーバ先のドナー基地局により送信される。
【００５８】
隣接セルリスト変更情報には、メッセージタイプと、ハンドオーバリレーＩＤと、削除隣接セル数（Ｄｅｌｅｔｅ  Ｎｅｉｇｈｂｏｕｒ  ｃｅｌｌ  ｎｕｍｂｅｒ）とが含まれる。メッセージタイプは、本メッセージを区別するためのメッセージタイプ、つまり識別子を表す。ハンドオーバリレーＩＤは、本メッセージのトリガーとなった先にハンドオーバを実施したリレーノードの識別ＩＤを表す。削除セル数は、隣接セルリストから削除すべきセルの数を表す。さらに、隣接セルリスト変更情報には、削除すべきセル数に応じた数の隣接セル情報が含まれる。隣接セル情報には、ＥＣＧＩ、ＰＣＩ、ＥＡＲＦＣＮが含まれる。ＥＣＧＩは、隣接セルのＥ−ＵＴＲＡＮセルのグローバルＩＤを表す。ＰＣＩは、隣接セルの物理セルＩＤを表す。ＥＡＲＦＣＮは、ＦＤＤに対する下りリンクのＥＡＲＦＣＮを表す。
【００５９】
図９は、隣接セルリスト変更情報（その２）の一実施例を示す。図９に示される隣接セルリスト変更情報は、ハンドオーバ先のドナー基地局により送信される。
【００６０】
隣接セルリスト変更情報には、メッセージタイプと、ハンドオーバリレーＩＤと、追加隣接セル数（Ａｄｄ  Ｎｅｉｇｈｂｏｕｒ  ｃｅｌｌ  ｎｕｍｂｅｒ）とが含まれる。メッセージタイプは、本メッセージを区別するためのメッセージタイプ、つまり識別子を表す。ハンドオーバリレーＩＤは、本メッセージのトリガーとなった先にハンドオーバを実施したリレーノードの識別ＩＤを表す。追加セル数は、隣接セルリストに追加すべきセルの数を表す。さらに、隣接セルリスト変更情報には、追加すべきセル数に応じた数の隣接セル情報が含まれる。隣接セル情報には、ＥＣＧＩ、ＰＣＩ、ＥＡＲＦＣＮが含まれる。ＥＣＧＩは、隣接セルのＥ−ＵＴＲＡＮセルのグローバルＩＤを表す。ＰＣＩは、隣接セルの物理セルＩＤを表す。ＥＡＲＦＣＮは、ＦＤＤに対する下りリンクのＥＡＲＦＣＮを表す。
【００６１】
ハンドオーバ制御部１０７０は、当該ドナー基地局１００ｎの配下のセルに在圏するリレーノード３００を他のドナー基地局の配下のセルにハンドオーバさせる場合の制御を行う。また、ハンドオーバ制御部１０７０は、他のドナー基地局の配下のセルから、当該ドナー基地局１００ｎの配下のセルに、リレーノード３００をハンドオーバさせる場合の制御を行う。
【００６２】
＜ハンドオーバの契機＞
リレーノード３００は、セルの品質測定結果により、イベントを発生する。リレーノードはイベントが発生した際に、当該リレーノード３００と接続するドナー基地局に、イベントが発生したことを通知する。
【００６３】
図１０は、リレーノード３００に発生するイベントの一実施例を示す。図１０において、横軸は時間であり、縦軸はセル品質（無線品質）を示す。図１０には、リレーノード３００に発生するイベントとして、「イベントＡ１」、「イベントＡ２」、「イベントＡ３」、「イベントＡ４」、「イベントＡ５」が示される。
【００６４】
イベントＡ１は、サービング基地局のセル品質が閾値（Ｔｈｒｅｓｈｏｌｄ）よりもよくなったときを示す。
【００６５】
イベントＡ２は、サービング基地局のセル品質が閾値よりも悪くなったときを示す。該イベントＡ２が発生した際に、リレーノード３００は、無線品質が悪くなったことを警告するようにしてもよい。
【００６６】
イベントＡ３は、隣接セルのセル品質がサービング基地局のセル品質よりオフセット以上によくなったときを示す。
【００６７】
イベントＡ４は、隣接セルのセル品質が閾値よりもよくなったときを示す。
【００６８】
イベントＡ５は、サービング基地局のセル品質が閾値１（Ｔｈｒｅｓｈｏｌｄ１）よりも悪くなり、且つ隣接セルのセル品質が閾値２（Ｔｈｒｅｓｈｏｌｄ２）よりもよくなったときを示す。イベントＡ５は、イベントＡ２が発生する状況において、イベントＡ３が発生する条件には達しないものの、セル品質が閾値２（＞閾値１）以上となることによりハンドオーバが可能とされる。従って、イベントＡ３におけるオフセットがオフセット＜閾値２−閾値１になる場合には、発生しない。
【００６９】
ここで、閾値２は、閾値１よりもセル品質がよいことを表す閾値である。また、閾値１は、閾値と同じ値でもよい。
【００７０】
さらに、「イベントＢ１」、「イベントＢ２」が定義されてもよい。
【００７１】
イベントＢ１は、Ｉｎｔｅｒ  ＲＡＴにおける隣接セルのセル品質が閾値以上となったときを示す。
【００７２】
イベントＢ２は、サービング基地局のセル品質が閾値１よりも悪くなり、且つｉｎｔｅｒ  ＲＡＴにおける隣接セルのセル品質が閾値２よりもよくなったときを示す。
【００７３】
ハンドオーバ処理部１０７２は、プロトコル処理部１０６８と接続される。ハンドオーバ処理部１０７２は、プロトコル処理部１０６８により入力されるべき下りリンクの無線品質に基づいて、該下りリンクの無線品質を表す情報を送信したリレーノード３００を、他のドナー基地局にハンドオーバさせるかどうかを判定する。
【００７４】
図１１は、Ｉｎｔｅｒ−ｆｒｅｑｕｅｎｃｙハンドオーバの一実施例を示す。
【００７５】
セルｃｅｌｌ１に在圏するリレーノード３００は、イベントＡ３を契機として、セルｃｅｌｌ２にハンドオーバする。
【００７６】
セルｃｅｌｌ２にハンドオーバしたリレーノード３００は、イベントＡ５を契機として、セルｃｅｌｌ１にハンドオーバする。
【００７７】
セルｃｅｌｌ１にハンドオーバしたリレーノード３００にイベントＡ２が発生する。しかし、隣接セルが発見されないため、セルｃｅｌｌ１との接続を維持する。
【００７８】
リレーノード３００はイベントＡ３を契機として、セルｃｅｌｌ３にハンドオーバする。
【００７９】
図１２は、Ｉｎｔｅｒ−ｆｒｅｑｕｅｎｃｙハンドオーバとはならない場合の一実施例を示す。
【００８０】
セルｃｅｌｌ１に在圏するリレーノード３００は、イベントＡ３を契機として、セルｃｅｌｌ２にハンドオーバする。
【００８１】
セルｃｅｌｌ２にハンドオーバしたリレーノード３００は、イベントＡ５を契機として、セルｃｅｌｌ１にハンドオーバする。
【００８２】
セルｃｅｌｌ１にハンドオーバしたリレーノード３００にイベントＡ２が発生する。しかし、隣接セルが発見されないため、セルｃｅｌｌ１との接続を維持する。
【００８３】
リレーノード３００はイベントＡ１が発生したため、セルｃｅｌｌ１との間の接続を継続する。
【００８４】
ハンドオーバ処理部１０７２は、他のドナー基地局との間で、リレーノード３００をハンドオーバさせるための処理を行う。ハンドオーバ処理部１０７２は、他のドナー基地局との間で、リレーノード３００をハンドオーバさせる処理を実行する際に、無線品質測定依頼部１０７４に、ハンドオーバが実行されることを通知する。
【００８５】
また、ハンドオーバ処理部１０７２は、隣接セルリスト更新部１０７６に、ハンドオーバが実行される際に他のドナー基地局から送信される隣接セルリスト更新情報を入力する。
【００８６】
無線品質測定依頼部１０７４は、ハンドオーバ処理部１０７２と接続される。無線品質測定依頼部１０７４は、ハンドオーバ処理部１０７２と、ＭＥＭ１０６４と接続される。無線品質測定依頼部１０７４には、ハンドオーバ処理部１０７２から、当該ドナー基地局１００ｎと、他のドナー基地局との間で、リレーノード３００のハンドオーバが実行される際に、ハンドオーバが実行されることを表す情報が入力される。無線品質測定依頼部１０７４は、当該ドナー基地局がハンドオーバ先のセルを配下に有する場合、リレーノード３００に、該ハンドオーバ先のセルに対応する隣接セルリストを含む無線品質測定依頼信号を通知する。該無線品質測定依頼部１０７４には、リレーノード３００により測定された無線品質の測定結果が入力される。具体的には、隣接セルリストに含まれる各セルの無線品質の測定結果が入力されてもよい。無線品質測定依頼部１０７４は、隣接セルリスト更新部１０７６と、隣接セルリスト更新指示部１０７８に、リレーノード３００からの無線品質の測定結果を表す情報を入力する。該測定結果には、セルを表す情報と、該セルの無線品質が閾値よりもよいかどうかを表す情報が含まれてもよい。
【００８７】
隣接セルリスト更新部１０７６は、ＭＥＭ１０６４、ハンドオーバ処理部１０７２、無線品質測定依頼部１０７４と接続される。隣接セルリスト更新部１０７６は、ＭＥＭ１０６４に格納されるべき隣接セルリストを更新する。隣接セルリスト更新部１０７６は、ＭＥＭ１０６４に、更新した隣接セルリストを格納する。
【００８８】
＜当該ドナー基地局がハンドオーバ先のセルを有する場合＞
隣接セルリスト更新部１０７６は、無線品質測定依頼部１０７４により入力されるべきハンドオーバ先のセルに対応する隣接セルリストに含まれるセルの無線品質の測定結果を表す情報に基づいて、隣接セルリストを更新する。具体的には、無線品質がよいとされたセルに対応する隣接セルリストに、リレーノードの配下のセルを登録する。また、無線品質が悪いとされたセルに対応する隣接セルリストから、リレーノードの配下のセルを削除する。
【００８９】
＜当該ドナー基地局がハンドオーバ先のセルを有さない場合＞
隣接セルリスト更新部１０７６は、ハンドオーバ処理部１０７２により入力される隣接セルリスト更新情報に、当該ドナー基地局の配下のセルが含まれるかどうかを判定する。隣接セルリスト更新情報に当該ドナー基地局の配下のセルが含まれ、且つリレーノードの配下のセルを追加する情報が含まれる場合には、ＭＥＭ１０６４に格納されるべき各セルに対応する隣接セルリストのうち、隣接セルリスト更新情報に含まれる当該ドナー基地局の配下のセルに対応する隣接セル情報に、リレーノードの配下のセルを表す情報を追加する。また、隣接セルリスト更新情報に当該ドナー基地局の配下のセルが含まれ、且つリレーノードの配下のセルを削除する情報が含まれる場合には、ＭＥＭ１０６４に格納されるべき各セルに対応する隣接セルリストのうち、隣接セルリスト更新情報に含まれる当該ドナー基地局の配下のセルに対応する隣接セル情報から、リレーノードの配下のセルを表す情報を削除する。
【００９０】
隣接セルリスト更新指示部１０７８は、プロトコル処理部１０６８、無線品質測定依頼部１０７４と接続される。隣接セルリスト更新指示部１０７８は、当該ドナー基地局がハンドオーバ先のセルを有する場合に、無線品質測定依頼部１０７４により入力されるべき隣接セルリストに含まれるセルの無線品質の測定結果を表す情報に基づいて、当該ドナー基地局以外のドナー基地局及び基地局２００の少なくとも一方に、隣接セルリストの更新を依頼するための隣接セルリスト更新情報を生成する。隣接セルリスト更新指示部１０７８は、プロトコル処理部１０６８に、隣接セルリスト更新情報を入力する。プロトコル処理部１０６８は、Ｘ２メッセージとして、隣接セルリスト更新情報を送信するためのプロトコル変換を行う。
【００９１】
隣接セルリスト更新指示部１０７８は、無線品質測定依頼部１０７４により入力される隣接セルリストに含まれるセルの無線品質の測定結果を表す情報に基づいて、ドナー基地局及び基地局の少なくとも一方に、隣接セルリストから、リレーノード３００の配下のセルを表す情報を追加したり、削除したりすることを依頼するため情報を含む隣接セルリスト更新情報を生成する。具体的には、隣接セルリスト更新指示部１０７８は、無線品質がよいとされたセルを配下に有するドナー基地局及び基地局の少なくとも一方に、該セルの隣接セルリストに、リレーノードの配下のセルを登録することを依頼するための情報を含む隣接セルリスト更新情報を生成する。また、隣接セルリスト更新指示部１０７８は、無線品質が悪いとされたセルを配下に有するドナー基地局及び基地局の少なくとも一方に、該セルの隣接セルリストから、リレーノードの配下のセルを削除することを依頼するための情報を含む隣接セルリスト更新情報を生成する。
【００９２】
ベースバンド処理部１０８は、Ｌ２ＳＷ１０４と接続される。ベースバンド処理部１０８は、ＤＳＰ１０８２と、ＭＥＭ（メモリ）１０８４とを有する。
【００９３】
ＤＳＰ１０８２は、ＭＥＭ１０８４に格納されたプログラムに従って、各種制御を行う。ＭＥＭ１０８４には、ドナー基地局として、当該ドナー基地局１００ｎを機能させるためのプログラムが格納される。
【００９４】
ベースバンド処理部１０８は、制御部１０６との間で情報の入出力を行う。ベースバンド処理部１０８は、トラヒックの管理を行う。具体的には、ＧＴＰ（Ｇｅｎｅｒａｌ  Ｐａｃｋｅｔ  Ｒａｄｉｏ  Ｓｅｒｖｉｃｅ（ＧＰＲＳ）  Ｔｕｎｎｅｌｌｉｎｇ  Ｐｒｏｔｏｃｏｌ）の管理を行う。ベースバンド処理部１０８は、トラヒックの転送を行う。具体的には、ＧＴＰの転送処理を行う。ベースバンド処理部１０８は、トラヒックを監視する。具体的には、セル状態を監視する。ベースバンド処理部１０８は、秘匿設定及び解除を行う。ベースバンド処理部１０８は、ＭＡＣ多重及び分離を行う。ベースバンド処理部１０８は、同期処理を行う。ベースバンド処理部１０８は、ページング処理を行う。
【００９５】
無線インタフェース１１８は、Ｌ２ＳＷ１０４と接続される。
【００９６】
Ｉ／Ｏｐｏｒｔ１１０１−１１０３は、Ｌ２ＳＷ１０４と接続される。Ｉ／Ｏｐｏｒｔ１１０１−１１０３は、入出力ポートである。
【００９７】
Ａ／Ｄ変換回路１１２１−１１２３は、Ｉ／Ｏｐｏｒｔ１１０１−１１０３とそれぞれ接続される。Ａ／Ｄ変換回路１１２１−１１２３は、デジタル信号に、Ｉ／Ｏｐｏｒｔ１１０１−１１０３からのアナログ信号を変換する。
【００９８】
広帯域ＡＭＰ１１４１−１１４３は、Ａ／Ｄ変換回路１１２１−１１２３とそれぞれ接続される。広帯域ＡＭＰ１１４１−１１４３は、Ａ／Ｄ変換回路１１２１−１１２３からのデジタル信号を増幅する。
【００９９】
アンテナ１１６１−１１６３は、広帯域ＡＭＰ１１４１−１１４３とそれぞれ接続される。アンテナ１１６１−１１６３は、広帯域ＡＭＰ１１４１−１１４３からの信号を無線送信する。アンテナ１１６１−１１６３からの無線信号は、対応するセルに在圏するユーザ端末４００ｍ及びリレーノード３００の少なくとも一方に送信される。
【０１００】
＜基地局＞
図１３は、基地局２００の一実施例を示す。
【０１０１】
図１３には、主に、ハードウェア構成が示される。
【０１０２】
基地局２００は、伝送路インタフェース２０２と、Ｌ２ＳＷ２０４と、制御部２０６と、ベースバンド処理部２０８と、無線インタフェース２１８とを有する。
【０１０３】
無線インタフェース２１８は、当該基地局２００によりカバーされるセルの数に応じた数の無線インタフェースを有する。図１３には、当該基地局２００により３セルがカバーされる例が示される。３セルがカバーされる場合、無線インタフェース２１８には、Ｉ／Ｏｐｏｒｔ２１０１−２１０３と、Ａ／Ｄ変換回路２１２１−２１２３と、広帯域ＡＭＰ２１４１−２１４３と、アンテナ２１６１−２１６３とが含まれる。添え字「１」、「２」、「３」は、それぞれセルに対応する。
【０１０４】
伝送路インタフェース２０２は、当該基地局以外のドナー基地局、他の基地局との間のインタフェースである。また、伝送路インタフェース２０２は、交換機６００との間のインタフェースである。図１３では、交換機６００は、ＭＭＥと表されている。該ＭＭＥは、ＨＳＳ７００と接続される。ＨＳＳ７００は、加入者情報データベースである。ＨＳＳ７００は、認証情報及び在圏情報を管理する。伝送路インタフェース２０２は、Ｘ２インタフェースと呼ばれてもよい。
【０１０５】
Ｌ２ＳＷ２０４は、伝送路インタフェース２０２と接続される。Ｌ２ＳＷ２０４は、レイヤー２で、伝送路インタフェース２０２からのパケットの転送先を判断する。Ｌ２ＳＷ２０４は、無線インタフェース２１８に含まれるＩ／Ｏｐｏｒｔ１１０１−１１０３のうち、転送先に対応するＩ／Ｏｐｏｒｔに、伝送路インタフェース２０２からのパケットを転送する。
【０１０６】
制御部２０６は、Ｌ２ＳＷ２０４と接続される。制御部２０６は、ＣＰＵ２０６２と、ＭＥＭ２０６４とを有する。
【０１０７】
ＣＰＵ２０６２は、ＭＥＭ２０６４に格納されたプログラムに従って、各種制御を行う。ＭＥＭ２０６４には、基地局として、当該基地局２００を機能させるためのプログラムが格納される。
【０１０８】
制御部２０６は、呼処理を行う。また、制御部２０６は、リソース管理を行う。また、制御部２０６は、当該基地局２００と、ユーザ端末４００ｍとの間の接続制御を行う。さらに、制御部２０６は、当該基地局２００と、ユーザ端末４００ｍとの間の接続管理を行う。また、制御部２０６は、ユーザ端末４００ｍに、下りリンクの受信品質の測定を指示する。さらに、制御部２０６は、該指示に応じて、ユーザ端末４００ｍから通知された下りリンクの受信品質を解析する。具体的には、制御部２０６は、該ユーザ端末４００ｍをハンドオーバさせるべきかどうかを判断する。また、制御部２０６は、当該基地局２００の各部を監視し、制御する。
【０１０９】
＜基地局２００の機能＞
図１４は、基地局２００の機能の一実施例を示す。
【０１１０】
基地局２００は、メッセージ分析部２０６６と、プロトコル処理部２０６８と、ハンドオーバ制御部２０７０とを有する。メッセージ分析部２０６６の機能と、プロトコル処理部２０６８の機能と、ハンドオーバ制御部２０７０の機能は、ＣＰＵ２０６２により実現される。ＣＰＵ２０６２が、所定のプログラムに従って動作することにより、メッセージ分析部２０６６、プロトコル処理部２０６８、ハンドオーバ制御部２０７０として機能する。ハンドオーバ制御部２０７０は、ハンドオーバ処理部２０７２と、隣接セルリスト更新部２０７４とを有する。ハンドオーバ処理部２０７２の機能と、隣接セルリスト更新部２０７４の機能は、ＣＰＵ２０６２により実現される。ＣＰＵ２０６２が、所定のプログラムに従って動作することにより、ハンドオーバ処理部２０７２、隣接セルリスト更新部２０７４として機能する。
【０１１１】
メッセージ分析部２０６６は、Ｌ２ＳＷ２０４と接続される。メッセージ分析部２０６６は、Ｌ２ＳＷ２０４から入力されるべきメッセージを分析する。具体的には、メッセージ分析部２０６６は、該メッセージの宛先に応じて、ユーザ端末４００ｍ宛である場合には、Ｌ２ＳＷ２０４に入力する。また、メッセージ分析部２０６６は、該メッセージが、ユーザ端末４００ｍからの下りリンクの無線品質を表す情報、ドナー基地局からの隣接セルリスト変更情報である場合には、プロトコル処理部２０６８に入力する。
【０１１２】
プロトコル処理部２０６８は、Ｌ２ＳＷ２０４と、メッセージ分析部２０６６と接続される。プロトコル処理部２０６８は、ハンドオーバ制御部２０７０に、メッセージ分析部２０６６からの下りリンクの無線品質を表す情報を入力する。また、プロトコル処理部２０６８は、ハンドオーバ制御部２０７０に、メッセージ分析部２０６６からの隣接セルリスト変更情報を入力する。
【０１１３】
ハンドオーバ制御部２０７０は、当該基地局２００の配下のユーザ端末４００ｍをドナー基地局又は他の基地局にハンドオーバさせる場合の制御を行う。また、ハンドオーバ制御部２０７０は、ドナー基地局又は他の基地局から、当該基地局２００に、ユーザ端末４００ｍをハンドオーバさせる場合の制御を行う。
【０１１４】
ハンドオーバ処理部２０７２は、プロトコル処理部２０６８と接続される。ハンドオーバ処理部２０７２は、プロトコル処理部２０６８により入力されるべき下りリンクの無線品質に基づいて、該下りリンクの無線品質を表す情報を送信したユーザ端末４００ｍを、ドナー基地局又は他の基地局２００にハンドオーバさせるかどうかを判定する。
【０１１５】
ハンドオーバ処理部２０７２は、ドナー基地局又は他の基地局との間で、ユーザ端末４００ｍをハンドオーバさせるための処理を行う。
【０１１６】
隣接セルリスト更新部２０７４は、プロトコル処理部２０６８と接続される。隣接セルリスト更新部２０７４は、プロトコル処理部２０６８により入力される隣接セルリスト更新情報に、当該基地局の配下のセルが含まれるかどうかを判定する。隣接セルリスト更新情報に当該基地局の配下のセルが含まれ、かつリレーノードの配下のセルを追加する情報が含まれる場合には、ＭＥＭ２０６４に格納されるべき各セルに対応する隣接セルリストのうち、隣接セルリスト更新情報に含まれる当該基地局の配下のセルに対応する隣接セルリストに、リレーノードの配下のセルを表す情報を追加する。また、隣接セルリスト更新情報に当該基地局の配下のセルが含まれ、かつリレーノードの配下のセルを削除する情報が含まれる場合には、ＭＥＭ２０６４に格納されるべき各セルに対応する隣接セルリストのうち、隣接セルリスト更新情報に含まれる当該基地局の配下のセルに対応する隣接セルリストから、リレーノードの配下のセルを表す情報を削除する。削除するか追加するかは、隣接セルリスト更新情報の「削除隣接セル数」又は「追加隣接セル数」により指定される。
【０１１７】
ベースバンド処理部２０８は、Ｌ２ＳＷ２０４と接続される。制御部２０６は、ＤＳＰ２０８２と、ＭＥＭ（メモリ）２０８４とを有する。
【０１１８】
ＤＳＰ２０８２は、ＭＥＭ２０８４に格納されたプログラムに従って、各種制御を行う。ＭＥＭ２０８４には、基地局として、当該基地局２００を機能させるためのプログラムが格納される。
【０１１９】
ベースバンド処理部２０８は、制御部２０６との間で情報の入出力を行う。ベースバンド処理部２０８は、トラヒックを監視する。具体的には、セル状態を監視する。ベースバンド処理部２０８は、秘匿設定及び解除を行う。ベースバンド処理部２０８は、ＭＡＣ多重及び分離を行う。ベースバンド処理部２０８は、同期処理を行う。ベースバンド処理部２０８は、ページング処理を行う。
【０１２０】
無線インタフェース２１８は、Ｌ２ＳＷ２０４と接続される。
【０１２１】
Ｉ／Ｏｐｏｒｔ２１０１−２１０３は、Ｌ２ＳＷ２０４と接続される。Ｉ／Ｏｐｏｒｔ２１０１−２１０３は、入出力ポートである。
【０１２２】
Ａ／Ｄ変換回路２１２１−２１２３は、Ｉ／Ｏｐｏｒｔ２１０１−２１０３とそれぞれ接続される。Ａ／Ｄ変換回路２１２１−２１２３は、デジタル信号に、Ｉ／Ｏｐｏｒｔ２１０１−２１０３からのアナログ信号を変換する。
【０１２３】
広帯域ＡＭＰ２１４１−２１４３は、Ａ／Ｄ変換回路２１２１−２１２３とそれぞれ接続される。広帯域ＡＭＰ２１４１−２１４３は、Ａ／Ｄ変換回路２１２１−２１２３からのデジタル信号を増幅する。
【０１２４】
アンテナ２１６１−２１６３は、広帯域ＡＭＰ２１４１−２１４３とそれぞれ接続される。アンテナ２１６１−２１６３は、広帯域ＡＭＰ２１４１−２１４３からの信号を無線送信する。アンテナ２１６１−２１６３からの無線信号は、対応するセルに在圏するユーザ端末４００ｍに送信される。
【０１２５】
＜リレーノード＞
図１５は、リレーノード３００の一実施例を示す。
【０１２６】
図１５には、主に、ハードウェア構成が示される。
【０１２７】
基地局２００は、制御部３０２と、ＵＳＩＭ３０４と、Ｌ２ＳＷ３０６と、ベースバンド処理部３０８と、無線インタフェース３１８とを有する。
【０１２８】
無線インタフェース３１８は、当該リレーノード３００によりカバーされるセルの数に応じた数の無線インタフェースを有する。図１５には、当該リレーノード３００により１セルがカバーされる例が示される。１セルがカバーされる場合、無線インタフェース３１８には、Ｉ／Ｏｐｏｒｔ３１０と、Ａ／Ｄ変換回路３１２と、広帯域ＡＭＰ３１４と、アンテナ３１６とが含まれる。リレーノード３００により２以上のセルがカバーされるようにしてもよい。
【０１２９】
制御部３０２は、ＣＰＵ３０２２と、ＭＥＭ３０２４とを有する。
【０１３０】
ＣＰＵ３０２２は、ＭＥＭ３０２４に格納されたプログラムに従って、各種制御を行う。ＭＥＭ３０２４には、リレーノードとして、当該リレーノード３００を機能させるためのプログラムが格納される。
【０１３１】
制御部３０２は、端末としての機能と、基地局としての機能とを有する。
【０１３２】
制御部３０２は、端末としての機能を実行する際に、ドナー基地局との間で呼処理を行う。また、制御部３０２は、端末としての機能を実行する際に、リソース管理を行う。また、制御部３０２は、端末としての機能を実行する際に、当該リレーノード３００と、ドナー基地局との間の接続管理を行う。また、制御部３０２は、端末としての機能を実行する際に、当該リレーノード３００の各部を監視し、制御する。
【０１３３】
制御部３０２は、基地局としての機能を実行する際に、ユーザ端末４００ｍとの間で呼処理を行う。また、制御部３０２は、基地局としての機能を実行する際に、リソース管理を行う。また、制御部３０２は、基地局としての機能を実行する際に、当該リレーノード３００と、ユーザ端末４００ｍとの間の接続管理を行う。また、制御部３０２は、基地局としての機能を実行する際に、当該リレーノード３００と接続するユーザ端末のハンドオーバ制御を行う。また、制御部１０６は、基地局としての機能を実行する際に、当該リレーノード３００の各部を監視し、制御する。
【０１３４】
＜リレーノード３００の機能＞
図１６は、リレーノード３００の機能の一実施例を示す。
【０１３５】
リレーノード３００は、メッセージ分析部３０２６と、プロトコル処理部３０２８と、ハンドオーバ制御部３０３０とを有する。メッセージ分析部３０２６の機能と、プロトコル処理部３０２８の機能と、ハンドオーバ制御部３０３０の機能は、ＣＰＵ３０２２により実現される。ＣＰＵ３０２２が、所定のプログラムに従って動作することにより、メッセージ分析部３０２６、プロトコル処理部３０２８、ハンドオーバ制御部３０３０として機能する。ハンドオーバ制御部３０３０は、ハンドオーバ処理部３０３２と、無線品質測定制御部３０３４と、無線品質情報判定部３０３６とを有する。ハンドオーバ処理部３０３２の機能と、無線品質測定制御部３０３４の機能と、無線品質情報判定部３０３６の機能は、ＣＰＵ３０２２により実現される。ＣＰＵ３０２２が、所定のプログラムに従って動作することにより、ハンドオーバ処理部３０３２、無線品質測定制御部３０３４、無線品質情報判定部３０３６として機能する。
【０１３６】
メッセージ分析部３０２６は、Ｌ２ＳＷ３０６と接続される。メッセージ分析部３０２６は、Ｌ２ＳＷ３０６から入力されるべきメッセージを分析する。具体的には、メッセージ分析部３０２６は、該メッセージの宛先に応じて、ユーザ端末４００ｍ宛である場合には、Ｌ２ＳＷ３０６に入力する。また、メッセージ分析部３０２６は、該メッセージが、ユーザ端末４００ｍからの下りリンクの無線品質を表す情報、ドナー基地局からの隣接セルリスト、無線品質測定依頼信号である場合には、プロトコル処理部３０２８に入力する。無線品質測定依頼信号については後述する。
【０１３７】
プロトコル処理部３０２８は、Ｌ２ＳＷ３０６と、メッセージ分析部３０２６と接続される。プロトコル処理部３０２８は、ハンドオーバ制御部３０３０に、メッセージ分析部３０２６からの下りリンクの無線品質を表す情報を入力する。また、プロトコル処理部３０２８は、ハンドオーバ制御部３０３０に、メッセージ分析部３０２６からの隣接セルリスト、無線品質測定依頼信号を入力する。
【０１３８】
ハンドオーバ制御部３０３０は、当該リレーノード３００の配下のユーザ端末４００ｍをドナー基地局、基地局、又は他のリレーノードにハンドオーバさせる場合の制御を行う。また、ハンドオーバ制御部３０３０は、ドナー基地局、基地局、又は他のリレーノードから、当該リレーノード３００に、ユーザ端末４００ｍをハンドオーバさせる場合の制御を行う。
【０１３９】
ハンドオーバ処理部３０３２は、プロトコル処理部３０２８と接続される。ハンドオーバ処理部３０３２は、プロトコル処理部３０２８により入力されるべき下りリンクの無線品質に基づいて、該下りリンクの無線品質を表す情報を送信したユーザ端末４００ｍを、ドナー基地局、基地局２００、他のリレーノードにハンドオーバさせるかどうかを判定する。
【０１４０】
ハンドオーバ処理部３０３２は、ドナー基地局、基地局、他のリレーノードとの間で、ユーザ端末４００ｍをハンドオーバさせるための処理を行う。
【０１４１】
無線品質測定制御部３０３４は、プロトコル処理部３０２８と接続される。無線品質測定制御部３０３４には、当該リレーノード３００が、在圏するドナー基地局から、他のドナー基地局へハンドオーバする際に、ハンドオーバ先のセルを配下に有するドナー基地局により送信されるべき無線品質測定依頼信号が入力される。無線品質情報取得部３０３４は、無線品質測定依頼信号に含まれる隣接セルリストに含まれるセルの無線品質を測定するための制御を行う。無線品質測定制御部３０３４は、無線品質情報判定部３０３６に、隣接セルリストに含まれるセルの無線品質を表す情報を入力する。
【０１４２】
無線品質情報判定部３０３６は、無線品質測定制御部３０３４と、プロトコル処理部３０２８と接続される。無線品質情報判定部３０３６は、無線品質測定制御部３０３４から入力されるべき隣接セルリストに含まれるセル毎の無線品質に基づいて、各セルについて、隣接セルリストに登録が必要であるかどうかを判定する。具体的には、無線品質が閾値以上である場合には隣接セルリストに、当該リレーノードの配下のセルを登録すると判定し、無線品質が閾値未満である場合には隣接セルリストから、当該リレーノードの配下のセルを削除すると判定する。該閾値は、リレーノード３００がハンドオーバする可能性に基づいて設定されてもよい。つまり、リレーノード３００がハンドオーバする可能性があるほど無線品質がよいかどうかに基づいて設定されてもよい。無線品質情報判定部３０３６は、隣接セルリストに含まれるセル毎に、隣接セルリストに当該リレーノードの配下のセルを登録するかどうかを表す情報を含む測定結果を、ハンドオーバ先のセルを配下に有するドナー基地局に通知する。
【０１４３】
ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）３０４は、制御部３０２と接続される。ＵＳＩＭ３０４には、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）が格納される。
【０１４４】
Ｌ２ＳＷ３０６は、制御部３０２と接続される。Ｌ２ＳＷ３０６は、レイヤー２で、ベースバンド処理部からのパケットの転送先を判断する。Ｌ２ＳＷ３０６は、無線インタフェース３１８に含まれるＩ／Ｏｐｏｒｔ３１０に、ベースバンド処理部３０８からのパケットを転送する。
【０１４５】
ベースバンド処理部３０８は、Ｌ２ＳＷ３０６と接続される。ベースバンド処理部３０８は、ＤＳＰ３０８２と、ＭＥＭ（メモリ）３０８４とを有する。
【０１４６】
ＤＳＰ３０８２は、ＭＥＭ３０８４に格納されたプログラムに従って、各種制御を行う。ＭＥＭ３０８４には、リレーノードとして、当該リレーノード３００を機能させるためのプログラムが格納される。
【０１４７】
ベースバンド処理部３０８は、Ｌ２ＳＷ３０６との間で情報の入出力を行う。ベースバンド処理部３０８は、端末としての機能と、基地局としての機能とを有する。
【０１４８】
ベースバンド処理部３０８は、端末としての機能を実行する際に、制御部３０２との間で、必要な情報の送受信を行う。また、ベースバンド処理部３０８は、端末としての機能を実行する際に、トラヒックを監視すると共に、セルの状態を監視する。ベースバンド処理部３０８は、端末としての機能を実行する際に、セルを探索する際の制御を行う。また、ベースバンド処理部３０８は、端末としての機能を実行する際に、秘匿設定及び解除を行う。ベースバンド処理部３０８は、端末としての機能を実行する際に、ＭＡＣ多重及び分離を行う。ベースバンド処理部３０８は、端末としての機能を実行する際に、同期処理を行う。
【０１４９】
ベースバンド処理部３０８は、基地局としての機能を実行する際に、制御部３０２との間で、必要な情報の送受信を行う。また、ベースバンド処理部３０８は、基地局としての機能を実行する際に、トラヒックを管理する。具体的には、ＧＴＰの管理を行う。また、ベースバンド処理部３０８は、基地局としての機能を実行する際に、トラヒック転送を行う。具体的には、ＧＴＰの転送処理を行う。また、ベースバンド処理部３０８は、基地局としての機能を実行する際に、トラヒックを監視すると共に、セルの状態を監視する。また、ベースバンド処理部３０８は、基地局としての機能を実行する際に、秘匿設定及び解除を行う。ベースバンド処理部３０８は、基地局としての機能を実行する際に、ＭＡＣ多重及び分離を行う。ベースバンド処理部３０８は、基地局としての機能を実行する際に、同期処理を行う。ベースバンド処理部３０８は、基地局としての機能を実行する際に、ページング処理を行う。
【０１５０】
無線インタフェース３１８は、Ｌ２ＳＷ３０６と接続される。
【０１５１】
Ｉ／Ｏｐｏｒｔ３１０は、Ｌ２ＳＷ３０６と接続される。Ｉ／Ｏｐｏｒｔ３１０は、入出力ポートである。
【０１５２】
Ａ／Ｄ変換回路３１２は、Ｉ／Ｏｐｏｒｔ３１０と接続される。Ａ／Ｄ変換回路３１２は、デジタル信号に、Ｉ／Ｏｐｏｒｔ３１０からのアナログ信号を変換する。
【０１５３】
広帯域ＡＭＰ３１４は、Ａ／Ｄ変換回路３１２と接続される。広帯域ＡＭＰ３１４は、Ａ／Ｄ変換回路３１２からのデジタル信号を増幅する。
【０１５４】
アンテナ３１６は、広帯域ＡＭＰ３１４と接続される。アンテナ３１６は、広帯域ＡＭＰ３１４からの信号を無線送信する。アンテナ３１６からの無線信号は、対応するセルに在圏するユーザ端末４００ｍに送信される。
【０１５５】
＜無線通信システムの動作（その１）＞
図１７は、無線通信システムの動作を説明するための図である。
【０１５６】
図１７に示される図において、リレーノード３００は、ドナー基地局１００１の配下のセルＣｅｌｌ＿０−１（Ａ）から、ドナー基地局１００１の配下のセルＣｅｌｌ＿０−２のセルの端（Ａ´）を経由して、ドナー基地局１００１の配下のセルＣｅｌｌ＿０−２の中心（Ｂ）にハンドオーバする。
【０１５７】
さらに、ドナー基地局１００１の配下のセルＣｅｌｌ＿０−２の中心（Ｂ）から、ドナー基地局１００２の配下のセルＣｅｌｌ＿１−５（Ｃ）にハンドオーバする。
【０１５８】
ドナー基地局１００１の配下のセルＣｅｌｌ＿０−１（Ａ）からのハンドオーバ先、つまりターゲット側であるドナー基地局１００１の配下のセルＣｅｌｌ＿０−２に対応する隣接セルリストには、以下の情報が含まれる。
【０１５９】
「Ｓｅｌｆ  ＤｅＮＢ」はドナー基地局１００１を表し、「ＤｅＮＢ＃１」はドナー基地局１００２を表し、「ｅＮＢ＃０」は基地局２００１を表し、「ｅＮＢ＃１」は基地局２００２を表し、「Ｒｅｌａｙ」リレーノード３００を表す。
【０１６０】
Ｌｉｓｔ  Ｎａｍｅ：  ＤｅＮＢ＃０＿Ｎｃｅｌｌ＿ｌｉｓｔ＃０−２
Ｃｅｌｌ  Ｉｎｄｉｃａｔｅ：  Ｃｅｌｌ＿０−２
Ｓｅｌｆ  ＤｅＮＢ  Ｎｃｅｌｌ：  Ｃｅｌｌ＿０−０，  Ｃｅｌｌ＿０−１，  Ｃｅｌｌ＿０−３，  Ｃｅｌｌ＿０−４，  Ｃｅｌｌ＿０−５
ＤｅＮＢ＃１  Ｎｃｅｌｌ：  Ｃｅｌｌ＿１−０，  Ｃｅｌｌ＿１−４，Ｃｅｌｌ＿１−５
ｅＮＢ＃０  Ｎｃｅｌｌ：  Ｃｅｌｌ＿ｅ０−０，  Ｃｅｌｌ＿ｅ０−１
ｅＮＢ＃１  Ｎｃｅｌｌ：  Ｃｅｌｌ＿ｅ１−３，  Ｃｅｌｌ＿ｅ１−４
Ｒｅｌａｙ  Ｎｃｅｌｌ：  Ｃｅｌｌ＿ｒ０
【０１６１】
ドナー基地局１００１の配下のセルＣｅｌｌ＿０−２（Ｂ）からのハンドオーバ先、つまりターゲット側であるドナー基地局１００２の配下のセルＣｅｌｌ＿１−５に対応する隣接セルリストには、以下の情報が含まれる。
【０１６２】
「Ｓｅｌｆ  ＤｅＮＢ」はドナー基地局１００２を表し、「ＤｅＮＢ＃０」はドナー基地局１００１を表し、「ｅＮＢ＃０」は基地局２００１を表し、「ｅＮＢ＃１」は基地局２００２を表し、「Ｒｅｌａｙ」リレーノード３００を表す。
【０１６３】
Ｌｉｓｔ  Ｎａｍｅ：  ＤｅＮＢ＃１＿Ｎｃｅｌｌ＿ｌｉｓｔ＃１−５
Ｃｅｌｌ  Ｉｎｄｉｃａｔｅ：  Ｃｅｌｌ＿１−５
Ｓｅｌｆ  ＤｅＮＢ  Ｎｃｅｌｌ：  Ｃｅｌｌ＿１−０，  Ｃｅｌｌ＿１−１  Ｃｅｌｌ＿１−２，  Ｃｅｌｌ＿１−３，  Ｃｅｌｌ＿１−４
ＤｅＮＢ＃０  Ｎｃｅｌｌ：  Ｃｅｌｌ＿０−１，  Ｃｅｌｌ＿０−２，  Ｃｅｌｌ＿０−３
ｅＮＢ＃０  Ｎｃｅｌｌ：  Ｃｅｌｌ＿ｅ０−０，  Ｃｅｌｌ＿ｅ０−１
ｅＮＢ＃１  Ｎｃｅｌｌ：  Ｃｅｌｌ＿ｅ１−３，  Ｃｅｌｌ＿ｅ１−４
Ｒｅｌａｙ  Ｎｃｅｌｌ：  Ｃｅｌｌ＿ｒ０
【０１６４】
図１８は、無線通信システムの動作の一実施例を示す。図１８に示される例では、リレーノード３００は、ドナー基地局１００１の配下のセルＣｅｌｌ＿０−１から、ドナー基地局１００１の配下のセルＣｅｌｌ＿０−２へハンドオーバする際の動作が示される。
【０１６５】
ドナー基地局１００１と、リレーノード３００との間で、領域Ａから領域Ａ´にハンドオーバさせる処理が開始される（ステップＳ１８０２）。
【０１６６】
ドナー基地局１００１は、リレーノード３００のハンドオーバが当該ドナー基地局１００１の配下のセル内で実施されることを認識する（ステップＳ１８０４）。ドナー基地局１００１のＣＰＵ１０６２は、リレーノード３００のハンドオーバが当該ドナー基地局１００１の配下のセル内で実施されることを認識する。つまり、ドナー基地局１００１のＣＰＵ１０６２は、当該ドナー基地局１００１の配下のセルＣｅｌｌ＿０−１から、セルＣｅｌｌ＿０−２へのハンドオーバであることを認識する。
【０１６７】
ドナー基地局１００１は、リレーノード３００に、ハンドオーバ先のセルＣｅｌｌ＿０−２に対応する隣接セルリストを含む無線品質測定依頼信号を通知する（ステップＳ１８０６）。つまり、ドナー基地局１００１のＣＰＵ１０６２は、リレーノード３００に、ハンドオーバ先のセルＣｅｌｌ＿０−２に対応する隣接セルリストを含む無線品質測定依頼信号を通知する。無線品質測定依頼信号を通知することにより、リレーノード３００に、ハンドオーバ先のセルの隣接セルの無線品質を測定させることができる。
【０１６８】
リレーノード３００は、ドナー基地局１００１からの無線品質測定依頼信号に基づいて、該無線品質測定依頼信号に含まれる隣接セルリストに登録されているセルの無線品質を定期的に測定する（ステップＳ１８０８）。つまり、リレーノード３００のＣＰＵ３０２２は、ドナー基地局１００１からの無線品質測定依頼信号に基づいて、該無線品質測定依頼信号に含まれる隣接セルリストに登録されているセルの無線品質を定期的に測定する。
【０１６９】
リレーノード３００は、ステップＳ１８０８において測定された無線品質に基づいて、該無線品質が閾値よりもよいかどうかを判定し、ドナー基地局１００１に、該判定結果を通知する（ステップＳ１８１０）。つまり、リレーノード３００のＣＰＵ３０２２は、ステップＳ１８０８において測定された無線品質に基づいて、該無線品質が閾値よりもよいかどうかを判定し、ドナー基地局１００１に、該判定結果を通知する。該測定結果には、セルを表す情報と、該セルの無線品質が閾値よりもよいかどうかを表す情報が含まれてもよい。
【０１７０】
ドナー基地局１００１は、リレーノード３００からの判定結果に基づいて、無線品質が閾値よりもよいと判定されたセルに対応する隣接セルリストに、リレーノードを登録すると判定する。つまり、ドナー基地局１００１のＣＰＵ１０６２は、リレーノード３００からの判定結果に基づいて、無線品質が閾値よりもよいと判定されたセルに対応する隣接セルリストに、リレーノード３００を登録すると判定する。また、ドナー基地局１００１は、リレーノード３００からの判定結果に基づいて、無線品質が閾値よりも悪いと判定されたセルに対応する隣接セルリストから、リレーノードを削除すると判定する（ステップＳ１８１２）。つまり、ドナー基地局１００１のＣＰＵ１０６２は、リレーノード３００からの判定結果に基づいて、無線品質が閾値よりも悪いと判定されたセルに対応する隣接セルリストから、リレーノードを削除すると判定する。
【０１７１】
ドナー基地局１００１は、ハンドオーバ先のセルＣｅｌｌ＿０−２の隣接セルを配下に有するドナー基地局１００２、基地局２００１、２００２に、隣接セルリストを更新する指示を行う（ステップＳ１８１４）。つまり、ドナー基地局１００１のＣＰＵ１０６２は、ハンドオーバ先のセルＣｅｌｌ＿０−２の隣接セルを配下に有するドナー基地局１００２、基地局２００１、２００２に、隣接セルリストを更新する指示を行う。具体的には、ステップＳ１８１２により無線品質が閾値よりもよいと判定されたセルを配下に有するドナー基地局１００２、基地局２００１、２００２に対して、隣接セルリストに、リレーノードを登録するように指示し、ステップＳ１８１２により無線品質が閾値よりも悪いと判定されたセルを配下に有するドナー基地局１００２、基地局２００１、２００２に対して、隣接セルリストから、リレーノードを削除するように指示する情報を含む隣接セルリスト変更情報を送信する。
【０１７２】
ドナー基地局１００２、基地局２００１、２００２は、ドナー基地局１００１からの隣接セルリスト変更情報に従って、隣接セルリストを更新する（ステップＳ１８１６、Ｓ１８１８、Ｓ１８２０）。つまり、ドナー基地局１００２のＣＰＵ１０６２、基地局２００１のＣＰＵ２０６２、基地局２００２のＣＰＵ２０６２は、ドナー基地局１００１からの隣接セルリスト変更情報に従って、隣接セルリストを更新する。
【０１７３】
ドナー基地局１００１は、ステップＳ１８１２における判断結果に従って、隣接セルリストを更新する（ステップＳ１８２２）。つまり、ドナー基地局１００１のＣＰＵ１０６２は、ステップＳ１８１２における判断結果に従って、隣接セルリストを更新する。
【０１７４】
＜無線通信システムの動作（その２）＞
図１９に示される図において、リレーノード３００が、ドナー基地局１００１の配下のセルＣｅｌｌ＿０−２の端から、ドナー基地局１００１の配下のセルＣｅｌｌ＿０−２の中心に移動する場合について説明する。この場合、同一セル内での移動であるため、ハンドオーバは行われない。
【０１７５】
リレーノード３００が領域Ａ´から領域Ｂに移動する（ステップＳ１９０２）。
【０１７６】
リレーノード３００は、在圏するドナー基地局１００１の配下のセルＣｅｌｌ＿０−２に対応する隣接セルリストに基づいて、該隣接セルリストに登録されているセルの無線品質を定期的に測定する（ステップＳ１９０４）。つまり、リレーノード３００のＣＰＵ３０２２は、在圏するドナー基地局１００１の配下のセルＣｅｌｌ＿０−２に対応する隣接セルリストに基づいて、該隣接セルリストに登録されているセルの無線品質を定期的に測定する。
【０１７７】
リレーノード３００は、ステップＳ１９０４において測定された無線品質に基づいて、該無線品質が閾値よりもよいかどうかを判定し、ドナー基地局１００１に、該判定結果を通知する（ステップＳ１９０６）。つまり、リレーノード３００のＣＰＵ３０２２は、ステップＳ１９０４において測定された無線品質に基づいて、該無線品質が閾値よりもよいかどうかを判定し、ドナー基地局１００１に、該判定結果を通知する。この場合、リレーノード３００は、在圏するドナー基地局１００１の配下のセルＣｅｌｌ＿０−２の中心領域に移動しているので、測定された無線品質が閾値よりも悪い場合を通知するようにしてもよい。リレーノード３００は、セルＣｅｌｌ＿０−２の中心領域に移動しているため、セルＣｅｌｌ＿０−２の受信品質はよいと想定されるが、該セルＣｅｌｌ＿０−２に隣接するセルの受信品質は悪いと想定されるためである。具体的には、無線品質が悪いセルとして、以下のセルが通知される。
【０１７８】
「Ｓｅｌｆ  ＤｅＮＢ」はドナー基地局１００１を表し、「ＤｅＮＢ＃１」はドナー基地局１００１を表し、「ｅＮＢ＃０」は基地局２００１を表す。
【０１７９】
Ｌｉｓｔ  Ｎａｍｅ：  ＤｅＮＢ＃０＿Ｎｃｅｌｌ＿ｌｉｓｔ＃０−２
Ｃｅｌｌ  Ｉｎｄｉｃａｔｅ：  Ｃｅｌｌ＿０−２
Ｓｅｌｆ  ＤｅＮＢ  Ｎｃｅｌｌ：  Ｃｅｌｌ＿０−０，  Ｃｅｌｌ＿０−１，  Ｃｅｌｌ＿０−３，  Ｃｅｌｌ＿０−４，  Ｃｅｌｌ＿０−５
ＤｅＮＢ＃１  Ｎｃｅｌｌ：  Ｃｅｌｌ＿１−０，  Ｃｅｌｌ＿１−４，Ｃｅｌｌ＿１−５
ｅＮＢ＃０  Ｎｃｅｌｌ：  Ｃｅｌｌ＿ｅ０−０，  Ｃｅｌｌ＿ｅ０−１
【０１８０】
ドナー基地局１００１は、リレーノード３００からの判定結果に基づいて、無線品質が閾値よりも悪いと判定されたセルに対応する隣接セルリストに、リレーノードを登録しないと判定する（ステップＳ１９０８）。つまり、ドナー基地局１００１のＣＰＵ１０６２は、リレーノード３００からの判定結果に基づいて、無線品質が閾値よりも悪いと判定されたセルに対応する隣接セルリストに、リレーノードを登録しないと判定する。
【０１８１】
ドナー基地局１００１は、セルＣｅｌｌ＿０−２の隣接セルを配下に有するドナー基地局１００２、基地局２００１、２００２に、隣接セルリストを更新する指示を行う（ステップＳ１９１０）。つまり、ドナー基地局１００１のＣＰＵ１０６２は、セルＣｅｌｌ＿０−２の隣接セルを配下に有するドナー基地局１００２、基地局２００１、２００２に、隣接セルリストを更新する指示を行う。具体的には、ステップＳ１９０８により無線品質が閾値よりも悪いと判定されたセルを配下に有するドナー基地局１００２、基地局２００１、２００２に対して、隣接セルリストから、リレーノードを削除するように指示する情報を含む隣接セルリスト変更情報を送信する。つまり、基地局２００１に対して、該基地局２００１の配下のセルＣｅｌｌ＿ｅ０−０、Ｃｅｌｌ＿ｅ０−１の隣接セルリストから、リレーノード３００の配下のセルを削除するように指示する。また、基地局２００２に対して、該基地局２００２の配下のセルＣｅｌｌ＿ｅ１−３、Ｃｅｌｌ＿ｅ１−４の隣接セルリストから、リレーノード３００の配下のセルを削除するように指示する。また、ドナー基地局１００２に対して、該ドナー基地局１００２の配下のセルＣｅｌｌ＿１−０、Ｃｅｌｌ＿１−４、Ｃｅｌｌ＿１−５の隣接セルリストから、リレーノード３００の配下のセルを削除するように指示する。
【０１８２】
ドナー基地局１００２、基地局２００１、２００２は、ドナー基地局１００１からの隣接セルリスト変更情報に従って、隣接セルリストを更新する（ステップＳ１９１２、Ｓ１９１４、Ｓ１９１６）。つまり、ドナー基地局１００２のＣＰＵ１０６２、基地局２００１のＣＰＵ２０６２、２００２は、ドナー基地局１００１からの隣接セルリスト変更情報に従って、隣接セルリストを更新する。
【０１８３】
ドナー基地局１００１は、ステップＳ１９０８における判断結果に従って、隣接セルリストを更新する（ステップＳ１９１８）。つまり、ドナー基地局１００１のＣＰＵ１０６２は、ステップＳ１９０８における判断結果に従って、隣接セルリストを更新する。具体的には、ドナー基地局１００１は、該ドナー基地局１００１の配下のセルＣｅｌｌ＿０−０、Ｃｅｌｌ＿０−１、Ｃｅｌｌ＿０−３、Ｃｅｌｌ＿０−４、Ｃｅｌｌ＿０−５の隣接セルリストから、リレーノード３００の配下のセルを削除する。
【０１８４】
＜無線通信システムの動作（その３）＞
図２０は、無線通信システムの動作の一実施例を示す。図２０に示される例では、リレーノード３００は、ドナー基地局１００１の配下のセルＣｅｌｌ＿０−２から、ドナー基地局１００２の配下のセルＣｅｌｌ＿１−５にハンドオーバする際の動作が示される。
【０１８５】
ドナー基地局１００１と、ドナー基地局１００２との間で、リレーノード３００を、領域Ｂから領域Ｃにハンドオーバさせる処理が開始される（ステップＳ２００２）。
【０１８６】
ドナー基地局１００１、ドナー基地局１００２は、リレーノード３００のハンドオーバが当該ドナー基地局１００１、当該ドナー基地局１００２で実施されることを認識する（ステップＳ２００４）。ドナー基地局１００１のＣＰＵ１０６２、ドナー基地局１００２のＣＰＵ１０６２は、リレーノード３００のハンドオーバが当該ドナー基地局１００１、当該ドナー基地局１００２で実施されることを認識する。つまり、ドナー基地局１００１は、当該ドナー基地局１００１の配下のセルＣｅｌｌ＿０−２から、ドナー基地局１００２の配下のセルＣｅｌｌ＿１−５へのハンドオーバであることを認識する。
【０１８７】
ハンドオーバ先のセルＣｅｌｌ＿１−５を配下に有するドナー基地局１００２は、リレーノード３００に、ハンドオーバ先のセルＣｅｌｌ＿１−５に対応する隣接セルリストを含む無線品質測定依頼信号を通知する（ステップＳ２００６）。ハンドオーバ先のセルＣｅｌｌ＿１−５を配下に有するドナー基地局１００２のＣＰＵ１０６２は、リレーノード３００に、ハンドオーバ先のセルＣｅｌｌ＿１−５に対応する隣接セルリストを含む無線品質測定依頼信号を通知する。無線品質測定依頼信号を通知することにより、リレーノード３００に、ハンドオーバ先のセルに対応する隣接セルリストに含まれるセルの無線品質を測定させることができる。
【０１８８】
リレーノード３００は、ドナー基地局１００２からの無線品質測定依頼信号に基づいて、該無線品質測定依頼信号に含まれる隣接セルリストに登録されているセルの無線品質を定期的に測定する（ステップＳ２００８）。リレーノード３００のＣＰＵ３０２２は、ドナー基地局１００２からの無線品質測定依頼信号に基づいて、該無線品質測定依頼信号に含まれる隣接セルリストに登録されているセルの無線品質を定期的に測定する。
【０１８９】
リレーノード３００は、ステップＳ２００８において測定された無線品質に基づいて、該無線品質が閾値よりもよいかどうかを判定し、ドナー基地局１００２に、該判定結果を含む測定結果を通知する（ステップＳ２０１０）。つまり、リレーノード３００のＣＰＵ３０２２は、ステップＳ２００８において測定された無線品質に基づいて、該無線品質が閾値よりもよいかどうかを判定し、ドナー基地局１００２に、該判定結果を含む測定結果を通知する。該測定結果には、セルを表す情報と、該セルの無線品質が閾値よりもよいかどうかを表す情報が含まれてもよい。
【０１９０】
ドナー基地局１００２は、リレーノード３００からの測定結果に基づいて、無線品質が閾値よりもよいと判定されたセルに対応する隣接セルリストに、リレーノードを登録すると判定する。つまり、ドナー基地局１００２のＣＰＵ１０６２は、リレーノード３００からの測定結果に基づいて、無線品質が閾値よりもよいと判定されたセルに対応する隣接セルリストに、リレーノードを登録すると判定する。また、ドナー基地局１００２は、リレーノード３００からの判定結果に基づいて、無線品質が閾値よりも悪いと判定されたセルに対応する隣接セルリストに、リレーノードを登録しないと判定する（ステップＳ２０１２）。つまり、ドナー基地局１００２のＣＰＵ１０６２は、リレーノード３００からの判定結果に基づいて、無線品質が閾値よりも悪いと判定されたセルに対応する隣接セルリストに、リレーノードを登録しないと判定する。
【０１９１】
ドナー基地局１００２は、ドナー基地局１００１、基地局２００１、２００２のうち、セルＣｅｌｌ＿１−５の隣接セルを配下に有する基地局に、隣接セルリストを更新する指示を行う（ステップＳ２０１４）。つまり、ドナー基地局１００２のＣＰＵ１０６２は、ドナー基地局１００１、基地局２００１、２００２のうち、セルＣｅｌｌ＿１−５の隣接セルを配下に有する基地局に、隣接セルリストを更新する指示を行う。具体的には、ドナー基地局１００１、基地局２００１、２００２のうち、ステップＳ２０１２により無線品質が閾値よりもよいと判定されたセルを配下に有する基地局に対して、隣接セルリストに、リレーノードの配下のセルを登録するように指示し、ステップＳ２０１２により無線品質が閾値よりも悪いと判定されたセルを配下に有する基地局に対して、隣接セルリストから、リレーノードの配下のセルを削除するように指示する情報を含む隣接セルリスト変更情報を送信する。
【０１９２】
ドナー基地局１００１、基地局２００１、２００２は、ドナー基地局１００１からの隣接セルリスト変更情報に従って、隣接セルリストを更新する（ステップＳ２０１６、Ｓ２０１８、Ｓ２０２０）。つまり、ドナー基地局１００１のＣＰＵ１０６２、基地局２００１のＣＰＵ２０６２、基地局２００２のＣＰＵ２０６２は、ドナー基地局１００１からの隣接セルリスト変更情報に従って、隣接セルリストを更新する。
【０１９３】
ドナー基地局１００２は、ステップＳ２０１２における測定結果に従って、隣接セルリストを更新する（ステップＳ２０２２）。ドナー基地局１００２のＣＰＵ１０６２は、ステップＳ２０１２における測定結果に従って、隣接セルリストを更新する。
【０１９４】
本実施例によれば、リレーノードのハンドオーバの際に、該リレーノードの配下のセルと隣接セルになる可能性が低いセルの隣接セルリストに該リレーノードの配下のセルを登録しないようにでき、該リレーノードの配下のセルと隣接セルになる可能性が高いセルの隣接セルリストに該リレーノードの配下のセルを登録できる。隣接セルリストに、リレーノードの配下のセルを登録しないようにしたり、登録したりすることにより、隣接セルリストに含まれるセルを最適化できる。このため、ドナー基地局、基地局における処理負荷を低減できる。
【０１９５】
＜第２の実施例＞
上述した実施例において、ハンドオーバ先のセルを有するドナー基地局からリレーノード３００に通知される隣接セルリストに含まれるセルの数を予め減少させるようにしてもよい。
【０１９６】
ハンドオーバ先のセルを有するドナー基地局からリレーノード３００に通知される隣接セルリストに含まれるセルの数を減少させるために、上述した実施例に先だって、以下の処理が実行される。
【０１９７】
図２１は、リレーノードの移動に伴って、隣接セルリストに、リレーノードの配下のセルを表す情報を追加したり、削除したりする処理の詳細を示す。
【０１９８】
図２１において、リレーノードの配下のセル（Ｒｅｌａｙ  Ｃｅｌｌ）は、ドナー基地局＃０（ＤｅＮＢ＃０）の配下のセルＣｅｌｌ＿０−２によりカバーされる領域から、ドナー基地局＃１（ＤｅＮＢ＃１）の配下のセルＣｅｌｌ＿１−５によりカバーされる領域に移動する。つまり、リレーノードは、ドナー基地局＃０（ＤｅＮＢ＃０）の配下のセルＣｅｌｌ＿０−２から、ドナー基地局＃１（ＤｅＮＢ＃１）の配下のセルＣｅｌｌ＿１−５にハンドオーバする。
【０１９９】
リレーノードがドナー基地局＃０（ＤｅＮＢ＃０）の配下のセルＣｅｌｌ＿０−２から、ドナー基地局＃１（ＤｅＮＢ＃１）の配下のセルＣｅｌｌ＿１−５にハンドオーバする際に、該リレーノードのハンドオーバ元のドナー基地局＃０（ＤｅＮＢ＃０）は、該リレーノードのハンドオーバ元のドナー基地局＃０（ＤｅＮＢ＃０）の配下のセルＣｅｌｌ＿０−２の隣接セルリストに含まれるセルを収容しているドナー基地局及び基地局に、隣接セルリストから、リレーノードの配下のセルを表す情報を削除するように通知する。
【０２００】
また、該リレーノードのハンドオーバ先のドナー基地局＃１（ＤｅＮＢ＃１）は、該リレーノードのハンドオーバ先のドナー基地局＃１（ＤｅＮＢ＃１）の配下のセルＣｅｌｌ＿１−５の隣接セルリストに含まれるセルを収容しているドナー基地局及び基地局に、隣接セルリストに、リレーノードの配下のセルを表す情報を追加するように通知する。
【０２０１】
上述した隣接セルリストからリレーノードの配下のセルを表す情報を削除する処理、隣接セルリストにリレーノードの配下のセルを表す情報を追加する処理は、該リレーノードのハンドオーバ元のセルと、該リレーノードのハンドオーバ先のセルの双方に隣接するセルに対しても実行されることが想定される。この場合、該リレーノードのハンドオーバ元のセルと、該リレーノードのハンドオーバ先のセルの双方に隣接するセルを収容しているドナー基地局及び基地局は、隣接セルリストからリレーノードの配下のセルを表す情報を削除するように通知された後に、該リレーノードの配下のセルを表す情報を追加するように通知される。
【０２０２】
リレーノードの配下のセルを表す情報を削除した後に、該リレーノードの配下のセルを表す情報を追加する処理は、実行する必要の無い処理である。
【０２０３】
本実施例では、このような余分な処理が削減される。
【０２０４】
＜無線通信システム＞
無線通信システムの一実施例は、図４を参照して説明した実施例と略同一である。
【０２０５】
＜ドナー基地局１００ｎ＞
ドナー基地局の一実施例は、図５を参照して説明したドナー基地局と略同一である。
【０２０６】
＜ドナー基地局１００ｎの機能＞
図２２は、ドナー基地局１００ｎの機能の一実施例を示す。
【０２０７】
図２２に示される例では、図６を参照して説明したドナー基地局１００ｎに、隣接セルリスト比較部１０８０を加えたものである。隣接セルリスト比較部１０８０の機能は、ＣＰＵ１０６２により実現される。ＣＰＵ１０６２が、所定のプログラムに従って動作することにより、隣接セルリスト比較部１０８０として機能する。
【０２０８】
メッセージ分析部１０６６は、Ｌ２ＳＷ１０４から入力されるべきメッセージが他のドナー基地局からの隣接セルリストである場合には、プロトコル処理部１０６８に入力する。隣接セルリストは、図７に示される隣接セルリストと略同一である。プロトコル処理部１０６８は、ハンドオーバ制御部１０７０に、メッセージ分析部１０６６からの隣接セルリストを入力する。また、プロトコル処理部１０６８は、ハンドオーバ先のドナー基地局の配下のリレーノード３００に通知すべき隣接セルリストを送信するためのプロトコル変換を行う。該隣接セルリストは、Ｘ２メッセージに含まれる。
【０２０９】
ハンドオーバ処理部１０７２は、他のドナー基地局との間で、リレーノード３００をハンドオーバさせるための処理を行う。ハンドオーバ処理部１０７２は、リレーノード３００を、他のドナー基地局との間でハンドオーバさせる処理を実行する際に、隣接セルリスト比較部１０８０に、ハンドオーバが実行されることを通知する。
【０２１０】
また、ハンドオーバ処理部１０７２は、隣接セルリスト更新部１０７６に、ハンドオーバが実行される際に他のドナー基地局から送信される隣接セルリスト更新情報を入力する。隣接セルリスト更新情報は、図８、図９に示される隣接セルリスト更新情報と略同一である。図８に示される隣接セルリスト更新情報は、主にハンドオーバ元のドナー基地局により送信される。図９に示される隣接セルリスト更新情報は、主にハンドオーバ先のドナー基地局により送信される。
【０２１１】
隣接セルリスト比較部１０８０は、ハンドオーバ処理部１０７２と接続される。隣接セルリスト比較部１０８０は、ハンドオーバ処理部１０７２と、ＭＥＭ１０６４と接続される。隣接セルリスト比較部１０８０には、ハンドオーバ処理部１０７２から、当該ドナー基地局１００ｎと、他のドナー基地局との間で、リレーノード３００のハンドオーバが実行される際に、他のドナー基地局からのハンドオーバ先のセルに対応する隣接セルリスト又はハンドオーバ元のセルに対応する隣接セルリストが入力される。隣接セルリスト比較部１０８０は、ＭＥＭ１０６４に格納された当該ドナー基地局１００ｎの隣接セルリストに含まれるセルを表す情報と、他のドナー基地局からの隣接セルリストに含まれるセルを表す情報とを比較する。
【０２１２】
＜当該ドナー基地局がハンドオーバ元のセルを配下に有する場合＞
隣接セルリスト比較部１０８０には、当該ドナー基地局１００ｎとハンドオーバを行う他のドナー基地局から、ハンドオーバ先となるセルに対応する隣接セルリストが入力される。隣接セルリスト比較部１０８０は、該ハンドオーバ先となるセルに対応する隣接セルリストと、ＭＥＭ１０６４に格納されるべきリレーノード３００のハンドオーバ元となるセルに対応する隣接セルリストとを比較することにより重複していないセルを表す情報を抽出する。具体的には、ＭＥＭ１０６４に格納されるべきリレーノード３００のハンドオーバ元となるセルに対応する隣接セルリストに含まれるセルから、ハンドオーバ先となるセルに対応する隣接セルリストに含まれるセルに重複していないセルを表す情報が抽出される。ここで、重複していないセルを表す情報にハンドオーバ先のセルを表す情報が含まれる場合には、該重複していないセルを表す情報から、ハンドオーバ先のセルを表す情報を削除する。隣接セルリスト比較部１０８０は、隣接セルリスト更新部１０７６、隣接セルリスト更新指示部１０７８に、重複していないセルを表す情報（以下、「非重複セル情報」という）を入力する。
【０２１３】
＜当該ドナー基地局がハンドオーバ先のセルを配下に有する場合＞
隣接セルリスト比較部１０８０には、当該ドナー基地局１００ｎとハンドオーバを行う他のドナー基地局から、ハンドオーバ元となるセルに対応する隣接セルリストが入力される。隣接セルリスト比較部１０８０は、ハンドオーバ元となるセルに対応する隣接セルリストと、ＭＥＭ１０６４に格納されるべきリレーノード３００のハンドオーバ先となるセルに対応する隣接セルリストとを比較することにより重複していないセルを表す情報を抽出する。具体的には、ＭＥＭ１０６４に格納されるべきリレーノード３００のハンドオーバ先となるセルに対応する隣接セルリストに含まれるセルから、ハンドオーバ元となるセルに対応する隣接セルリストに含まれるセルに重複していないセルを表す情報が抽出される。ここで、重複していないセルを表す情報にハンドオーバ元のセルを表す情報が含まれる場合には、該重複していないセルを表す情報から、ハンドオーバ元のセルを表す情報を削除する。隣接セルリスト比較部１０８０は、隣接セルリスト更新部１０７６、隣接セルリスト更新指示部１０７８に、非重複セル情報を入力する。
【０２１４】
隣接セルリスト更新部１０７６は、ＭＥＭ１０６４、ハンドオーバ処理部１０７２、隣接セルリスト比較部１０８０と接続される。隣接セルリスト更新部１０７６は、ＭＥＭ１０６４に格納されるべき隣接セルリストを更新する。隣接セルリスト更新部１０７６は、ＭＥＭ１０６４に、更新した隣接セルリストを格納する。
【０２１５】
＜当該ドナー基地局がハンドオーバ元のセルを有する場合＞
隣接セルリスト更新部１０７６は、隣接セルリスト比較部１０８０により入力される非重複セル情報に、当該ドナー基地局の配下のセルが含まれるかどうかを判定する。非重複セル情報に当該ドナー基地局の配下のセルが含まれる場合には、ＭＥＭ１０６４に格納されるべき各セルに対応する隣接セルリストのうち、非重複セル情報に含まれる当該ドナー基地局の配下のセルに対応する隣接セル情報から、リレーノード３００の配下のセルを表す情報を削除する。
【０２１６】
また、隣接セルリスト更新部１０７６は、ハンドオーバ処理部１０７２により入力される隣接セルリスト更新情報に、当該ドナー基地局の配下のセルが含まれるかどうかを判定する。隣接セルリスト更新情報に当該ドナー基地局の配下のセルが含まれる場合には、ＭＥＭ１０６４に格納されるべき各セルに対応する隣接セルリストのうち、隣接セルリスト更新情報に含まれる当該ドナー基地局の配下のセルに対応する隣接セル情報に、リレーノード３００の配下のセルを表す情報を追加する。
【０２１７】
＜当該ドナー基地局がハンドオーバ先のセルを有する場合＞
隣接セルリスト更新部１０７６は、ハンドオーバ処理部１０７２により入力される隣接セルリスト更新情報に、当該ドナー基地局の配下のセルが含まれるかどうかを判定する。隣接セルリスト更新情報に当該ドナー基地局の配下のセルが含まれる場合には、ＭＥＭ１０６４に格納されるべき各セルに対応する隣接セルリストのうち、隣接セルリスト更新情報に含まれるセルに対応する隣接セルリストに、リレーノード３００の配下のセルを表す情報を追加する。
【０２１８】
また、隣接セルリスト更新部１０７６は、ハンドオーバ処理部１０７２により入力される隣接セルリスト更新情報に、当該ドナー基地局の配下のセルが含まれるかどうかを判定する。隣接セルリスト更新情報に当該ドナー基地局の配下のセルが含まれる場合には、ＭＥＭ１０６４に格納されるべき各セルに対応する隣接セルリストのうち、隣接セルリスト更新情報に含まれる当該ドナー基地局の配下のセルに対応する隣接セル情報から、リレーノード３００の配下のセルを表す情報を削除する。
【０２１９】
隣接セルリスト更新指示部１０７８は、プロトコル処理部１０６８、隣接セルリスト比較部１０８０と接続される。隣接セルリスト更新指示部１０７８は、隣接セルリスト比較部１０８０により入力されるべき非重複セル情報に基づいて、当該ドナー基地局以外のドナー基地局及び基地局２００の少なくとも一方に、隣接セルリストの更新を依頼するための隣接セルリスト更新情報を生成する。隣接セルリスト更新指示部１０７８は、プロトコル処理部１０６８に、隣接セルリスト更新情報を入力する。プロトコル処理部１０６８は、Ｘ２メッセージとして、隣接セルリスト更新情報を送信するためのプロトコル変換を行う。
【０２２０】
＜当該ドナー基地局がハンドオーバ元のセルを有する場合＞
隣接セルリスト更新指示部１０７８は、隣接セルリスト比較部１０８０により入力される非重複セル情報に含まれるセルを有するドナー基地局及び基地局の少なくとも一方に、該非重複セルに含まれるセルの隣接セルリストから、リレーノード３００の配下のセルを表す情報を削除することを依頼するため情報を含む隣接セルリスト更新情報を生成する。
【０２２１】
＜当該ドナー基地局がハンドオーバ先のセルを有する場合＞
隣接セルリスト更新指示部１０７８は、隣接セルリスト比較部１０８０により入力される非重複セル情報に含まれるセルを有するドナー基地局及び基地局の少なくとも一方に、該非重複セルに含まれるセルの隣接セルリストに、リレーノード３００の配下のセルを表す情報を追加することを依頼するため情報を含む隣接セルリスト更新情報を生成する。
【０２２２】
＜無線通信システムの動作（その１）＞
図２３は、無線通信システムの動作の一実施例を説明するための図である。
【０２２３】
図２３に示される図において、リレーノード３００は、ドナー基地局１００１の配下のセルＣｅｌｌ＿０−２から、ドナー基地局１００２の配下のセルＣｅｌｌ＿１−５にハンドオーバする。
【０２２４】
ハンドオーバ元、つまりソース側であるドナー基地局１００１の配下のセルＣｅｌｌ＿０−２に対応する隣接セルリストには、以下の情報が含まれる。
【０２２５】
「Ｓｅｌｆ  ＤｅＮＢ」はドナー基地局１００１を表し、「ＤｅＮＢ＃１」はドナー基地局１００２を表し、「ｅＮＢ＃０」は基地局２００１を表し、「ｅＮＢ＃１」は基地局２００２を表し、「Ｒｅｌａｙ」はリレーノード３００を表す。
【０２２６】
Ｌｉｓｔ  Ｎａｍｅ：  ＤｅＮＢ＃０＿Ｎｃｅｌｌ＿ｌｉｓｔ＃０−２
Ｃｅｌｌ  Ｉｎｄｉｃａｔｅ：  Ｃｅｌｌ＿０−２
Ｓｅｌｆ  ＤｅＮＢ  Ｎｃｅｌｌ：  Ｃｅｌｌ＿０−０，  Ｃｅｌｌ＿０−１，  Ｃｅｌｌ＿０−３，  Ｃｅｌｌ＿０−４，  Ｃｅｌｌ＿０−５
ＤｅＮＢ＃１  Ｎｃｅｌｌ：  Ｃｅｌｌ＿１−０，  Ｃｅｌｌ＿１−４，Ｃｅｌｌ＿１−５
ｅＮＢ＃０  Ｎｃｅｌｌ：  Ｃｅｌｌ＿ｅ０−０，  Ｃｅｌｌ＿ｅ０−１
ｅＮＢ＃１  Ｎｃｅｌｌ：  Ｃｅｌｌ＿ｅ１−３，  Ｃｅｌｌ＿ｅ１−４
Ｒｅｌａｙ  Ｎｃｅｌｌ：  Ｃｅｌｌ＿ｒ０
【０２２７】
ハンドオーバ先、つまりターゲット側であるドナー基地局１００２の配下のセルＣｅｌｌ＿０−５に対応する隣接セルリストには、以下の情報が含まれる。
【０２２８】
「Ｓｅｌｆ  ＤｅＮＢ」はドナー基地局１００２を表し、「ＤｅＮＢ＃０」はドナー基地局１００１を表し、「ｅＮＢ＃０」は基地局２００１を表し、「ｅＮＢ＃１」は基地局２００２を表し、「Ｒｅｌａｙ」はリレーノード３００を表す。
【０２２９】
Ｌｉｓｔ  Ｎａｍｅ：  ＤｅＮＢ＃１＿Ｎｃｅｌｌ＿ｌｉｓｔ＃１−５
Ｃｅｌｌ  Ｉｎｄｉｃａｔｅ：  Ｃｅｌｌ＿１−５
Ｓｅｌｆ  ＤｅＮＢ  Ｎｃｅｌｌ：  Ｃｅｌｌ＿１−０，  Ｃｅｌｌ＿１−１  Ｃｅｌｌ＿１−２，  Ｃｅｌｌ＿１−３，  Ｃｅｌｌ＿１−４
ＤｅＮＢ＃０  Ｎｃｅｌｌ：  Ｃｅｌｌ＿０−１，  Ｃｅｌｌ＿０−２，  Ｃｅｌｌ＿０−３
ｅＮＢ＃０  Ｎｃｅｌｌ：  Ｃｅｌｌ＿ｅ０−０，  Ｃｅｌｌ＿ｅ０−１
ｅＮＢ＃１  Ｎｃｅｌｌ：  Ｃｅｌｌ＿ｅ１−３，  Ｃｅｌｌ＿ｅ１−４
Ｒｅｌａｙ  Ｎｃｅｌｌ：  Ｃｅｌｌ＿ｒ０
【０２３０】
図２４は、無線通信システムの動作の一実施例を示す。図２４に示される例では、リレーノード３００は、ドナー基地局１００１の配下のセルＣｅｌｌ＿０−２から、ドナー基地局１００２の配下のセルＣｅｌｌ＿１−５にハンドオーバする際の動作が示される。
【０２３１】
ドナー基地局１００１と、ドナー基地局１００２との間で、リレーノード３００をハンドオーバする処理が開始される（ステップＳ２４０２）。ドナー基地局１００１のＣＰＵ１０６２と、ドナー基地局１００２のＣＰＵ１０６２との間で、リレーノード３００をハンドオーバする処理が開始される。つまり、ドナー基地局１００１のハンドオーバ制御部１０７０と、ドナー基地局１００２のハンドオーバ制御部１０７０との間で、リレーノード３００をハンドオーバする処理が開始される。
【０２３２】
ドナー基地局１００１は、リレーノード３００のハンドオーバ先のドナー基地局が、ドナー基地局１００２であることを認識する（ステップＳ２４０４）。つまり、ドナー基地局１００１のＣＰＵ１０６２は、リレーノード３００のハンドオーバ先のドナー基地局が、ドナー基地局１００２であることを認識する。
【０２３３】
ドナー基地局１００１は、ドナー基地局１００２に、当該ドナー基地局１００１の配下のセルＣｅｌｌ＿０−２に対応する隣接セルリストを通知する（ステップＳ２４０６）。ドナー基地局１００１のＣＰＵ１０６２は、ドナー基地局１００２に、当該ドナー基地局１００１の配下のセルＣｅｌｌ＿０−２に対応する隣接セルリストを通知する制御を行う。該セルＣｅｌｌ＿０−２に対応する隣接セルリストは、Ｌ２ＳＷ１０４を介して、伝送路インタフェース１０２に入力される。伝送路インタフェース１０２は、ドナー基地局１００２に、該セルＣｅｌｌ＿０−２に対応する隣接セルリストを通知する。
【０２３４】
ドナー基地局１００２は、リレーノード３００のハンドオーバ元のドナー基地局が、ドナー基地局１００１であることを認識する（ステップＳ２４０８）。つまり、ドナー基地局１００２のＣＰＵ１０６２は、リレーノード３００のハンドオーバ元のドナー基地局が、ドナー基地局１００１であることを認識する。
【０２３５】
ドナー基地局１００２は、ドナー基地局１００１に、当該ドナー基地局１００２の配下のセルＣｅｌｌ＿１−５に対応する隣接セルリストを通知する（ステップＳ２４１０）。ドナー基地局１００２のＣＰＵ１０６２は、ドナー基地局１００１に、当該ドナー基地局１００２の配下のセルＣｅｌｌ＿１−５に対応する隣接セルリストを通知する制御を行う。該セルＣｅｌｌ＿１−５に対応する隣接セルリストは、Ｌ２ＳＷ１０４を介して、伝送路インタフェース１０２に入力される。伝送路インタフェース１０２は、ドナー基地局１００１に、該セルＣｅｌｌ＿１−５に対応する隣接セルリストを通知する。
【０２３６】
ドナー基地局１００１は、当該ドナー基地局１００１の配下のセルＣｅｌｌ＿０−２に対応する隣接セルリストに含まれるセルの情報と、ステップＳ２４１０によりドナー基地局１００２から通知された隣接セルリストに含まれるセルの情報とを比較することにより、重複しないセルを表す情報を抽出する（ステップＳ２４１２）。つまり、ドナー基地局１００１のＣＰＵ１０６２は、当該ドナー基地局１００１の配下のセルＣｅｌｌ＿０−２に対応する隣接セルリストに含まれるセルの情報と、ステップＳ２４１０によりドナー基地局１００２から通知された隣接セルリストに含まれるセルの情報とを比較することにより、重複しないセルを表す情報を抽出する。ここで、重複しないセルを表す情報からハンドオーバ先のセルＣｅｌｌ＿１−５は除かれてもよい。
【０２３７】
ドナー基地局１００２は、当該ドナー基地局１００２の配下のセルＣｅｌｌ＿１−５に対応する隣接セルリストに含まれるセルの情報と、ステップＳ２４０６によりドナー基地局１００１から通知された隣接セルリストに含まれるセルの情報とを比較することにより、重複しないセルを表す情報を抽出する（ステップＳ２４１４）。つまり、ドナー基地局１００２のＣＰＵ１０６２、当該ドナー基地局１００２の配下のセルＣｅｌｌ＿１−５に対応する隣接セルリストに含まれるセルの情報と、ステップＳ１３０６によりドナー基地局１００１から通知された隣接セルリストに含まれるセルの情報とを比較することにより、重複しないセルを表す情報を抽出する。ここで、重複しないセルを表す情報からハンドオーバ元のセルＣｅｌｌ＿０−２は除かれてもよい。
【０２３８】
ドナー基地局１００１は、ステップＳ２４１２により重複しないセルとして抽出したセルを収容しているドナー基地局１００１、及び１００２、基地局２００１、及び２００２に、リレーノード３００の配下のセルを隣接セルリストから削除するように指示する（ステップＳ２４１６）。つまり、ドナー基地局１００１ＣＰＵ１０６２は、ステップＳ２４１２により重複しないセルとして抽出したセルを収容しているドナー基地局１００１、及び１００２、基地局２００１、及び２００２に、リレーノード３００の配下のセルを隣接セルリストから削除するように指示する。この場合、ハンドオーバ先のセルは、除外されているので、削除されない。図２３に示される例では、ドナー基地局１００２、基地局２００１、及び２００２については重複しないセルはないので、ドナー基地局１００２、基地局２００１、及び２００２に、「削除隣接セル数」として「０」が指定された隣接セルリスト更新情報が送信される。
【０２３９】
ステップＳ２４１６による指示に従って、基地局２００１、ドナー基地局１００２、基地局２００２は、隣接セルリストを更新する（ステップＳ２４１８、Ｓ２４２０、Ｓ２４２２）。つまり、ステップＳ２４１６による指示に従って、基地局２００１のＣＰＵ２０６２、ドナー基地局１００２のＣＰＵ１０６２、基地局２００２のＣＰＵ２０６２は、隣接セルリストを更新する。
【０２４０】
ドナー基地局１００１は、当該ドナー基地局１００１の配下のセルＣｅｌｌ＿０−０、Ｃｅｌｌ＿０−４、Ｃｅｌｌ＿０−５に対応する隣接セルリストから、リレーノード３００の配下のセルを削除する（ステップＳ２４２４）。つまり、ドナー基地局１００１のＣＰＵ１０６２は、当該ドナー基地局１００１の配下のセルＣｅｌｌ＿０−０、Ｃｅｌｌ＿０−４、Ｃｅｌｌ＿０−５に対応する隣接セルリストから、リレーノード３００の配下のセルを削除する。ドナー基地局１００１については、セルＣｅｌｌ＿０−０、Ｃｅｌｌ＿０−４、Ｃｅｌｌ＿０−５が重複しないためである。
【０２４１】
ドナー基地局１００２は、ステップＳ２４１４により重複しないセルとして抽出したセルを収容しているドナー基地局１００１、及び１００２、基地局２００１、及び２００２に、リレーノード３００の配下のセルを隣接セルリストに追加するように指示する（ステップＳ２４２６）。つまり、ドナー基地局１００２のＣＰＵ１０６２は、ステップＳ２４１４により重複しないセルとして抽出したセルを収容しているドナー基地局１００１、及び１００２、基地局２００１、及び２００２に、リレーノード３００の配下のセルを隣接セルリストに追加するように指示する。この場合、ハンドオーバ元のセルは、除外されているので追加されない。図２３に示される例では、ドナー基地局１００２、基地局２００１、及び２００２については重複しないセルはないので、ドナー基地局１００２、基地局２００１、及び２００２に、「追加隣接セル数」として「０」が指定された隣接セルリスト更新情報が送信される。
【０２４２】
ステップＳ２４２６による指示に従って、基地局２００１、ドナー基地局１００１、基地局２００２は、隣接セルリストを更新する（ステップＳ２４２８、Ｓ２４３０、Ｓ２４３２）。つまり、ステップＳ２４２６による指示に従って、基地局２００１のＣＰＵ２０６２、ドナー基地局１００１のＣＰＵ１０６２、基地局２００２のＣＰＵ２０６２は、隣接セルリストを更新する。
【０２４３】
ドナー基地局１００２は、当該ドナー基地局１００２の配下のセルＣｅｌｌ＿１−１、Ｃｅｌｌ＿１−２、Ｃｅｌｌ＿１−３に対応する隣接セルリストに、リレーノード３００の配下のセルを追加する（ステップＳ２４３４）。つまり、ドナー基地局１００２のＣＰＵ１０６２は、当該ドナー基地局１００２の配下のセルＣｅｌｌ＿１−１、Ｃｅｌｌ＿１−２、Ｃｅｌｌ＿１−３に対応する隣接セルリストに、リレーノード３００の配下のセルを追加する。ドナー基地局１００１については、セルＣｅｌｌ＿１−１、Ｃｅｌｌ＿１−２、Ｃｅｌｌ＿１−３が重複しないためである。
【０２４４】
ステップＳ２４３４による処理が行われた後、実施例１に記載された処理が実行される。
【０２４５】
＜無線通信システムの動作（その２）＞
図２３に示される図において、リレーノード３００が、ドナー基地局１００１の配下のセルＣｅｌｌ＿０−１から、ドナー基地局１００２の配下のセルＣｅｌｌ＿１−５にハンドオーバする場合について説明する。
【０２４６】
ハンドオーバ元、つまりソース側であるドナー基地局１００１の配下のセルＣｅｌｌ＿０−１に対応する隣接セルリストには、以下の情報が含まれる。
【０２４７】
「Ｓｅｌｆ  ＤｅＮＢ」はドナー基地局１００１を表し、「ＤｅＮＢ＃１」はドナー基地局１００２を表し、「ｅＮＢ＃１」は基地局２００２を表し、「Ｒｅｌａｙ」はリレーノード３００を表す。
【０２４８】
Ｌｉｓｔ  Ｎａｍｅ：  ＤｅＮＢ＃０＿Ｎｃｅｌｌ＿ｌｉｓｔ＃０−１
Ｃｅｌｌ  Ｉｎｄｉｃａｔｅ：  Ｃｅｌｌ＿０−１
Ｓｅｌｆ  ＤｅＮＢ  Ｎｃｅｌｌ：  Ｃｅｌｌ＿０−０，  Ｃｅｌｌ＿０−２，  Ｃｅｌｌ＿０−３，  Ｃｅｌｌ＿０−４，  Ｃｅｌｌ＿０−５
ＤｅＮＢ＃１  Ｎｃｅｌｌ：  Ｃｅｌｌ＿１−０，  Ｃｅｌｌ＿１−５
ｅＮＢ＃１  Ｎｃｅｌｌ：  Ｃｅｌｌ＿ｅ１−３，  Ｃｅｌｌ＿ｅ１−４，  Ｃｅｌｌ＿ｅ１−５
Ｒｅｌａｙ  Ｎｃｅｌｌ：  Ｃｅｌｌ＿ｒ０
【０２４９】
ハンドオーバ先、つまりターゲット側であるドナー基地局１００２の配下のセルＣｅｌｌ＿０−５に対応する隣接セルリストには、以下の情報が含まれる。
【０２５０】
「Ｓｅｌｆ  ＤｅＮＢ」はドナー基地局１００２を表し、「ＤｅＮＢ＃０」はドナー基地局１００１を表し、「ｅＮＢ＃０」は基地局２００１を表し、「ｅＮＢ＃１」は基地局２００２を表し、「Ｒｅｌａｙ」はリレーノード３００を表す。
【０２５１】
Ｌｉｓｔ  Ｎａｍｅ：  ＤｅＮＢ＃１＿Ｎｃｅｌｌ＿ｌｉｓｔ＃１−５
Ｃｅｌｌ  Ｉｎｄｉｃａｔｅ：  Ｃｅｌｌ＿１−５
Ｓｅｌｆ  ＤｅＮＢ  Ｎｃｅｌｌ：  Ｃｅｌｌ＿１−０，  Ｃｅｌｌ＿１−１  Ｃｅｌｌ＿１−２，  Ｃｅｌｌ＿１−３，  Ｃｅｌｌ＿１−４
ＤｅＮＢ＃０  Ｎｃｅｌｌ：  Ｃｅｌｌ＿０−１，  Ｃｅｌｌ＿０−２，  Ｃｅｌｌ＿０−３
ｅＮＢ＃０  Ｎｃｅｌｌ：  Ｃｅｌｌ＿ｅ０−０，  Ｃｅｌｌ＿ｅ０−１
ｅＮＢ＃１  Ｎｃｅｌｌ：  Ｃｅｌｌ＿ｅ１−３，  Ｃｅｌｌ＿ｅ１−４
Ｒｅｌａｙ  Ｎｃｅｌｌ：  Ｃｅｌｌ＿ｒ０
【０２５２】
図２５は、無線通信システムの動作の一実施例を示す。図２５に示される例では、リレーノード３００は、ドナー基地局１００１の配下のセルＣｅｌｌ＿０−１から、ドナー基地局１００２の配下のセルＣｅｌｌ＿１−５にハンドオーバする際の動作が示される。
【０２５３】
ドナー基地局１００１と、ドナー基地局１００２との間で、リレーノード３００をハンドオーバする処理が開始される（ステップＳ２５０２）。ドナー基地局１００１のＣＰＵ１０６２と、ドナー基地局１００２のＣＰＵ１０６２との間で、リレーノード３００をハンドオーバする処理が開始される。つまり、ドナー基地局１００１のハンドオーバ制御部１０７０と、ドナー基地局１００２のハンドオーバ制御部１０７０との間で、リレーノード３００をハンドオーバする処理が開始される。
【０２５４】
ドナー基地局１００１は、リレーノード３００のハンドオーバ先のドナー基地局が、ドナー基地局１００２であることを認識する（ステップＳ２５０４）。つまり、ドナー基地局１００１のＣＰＵ１０６２は、リレーノード３００のハンドオーバ先のドナー基地局が、ドナー基地局１００２であることを認識する。
【０２５５】
ドナー基地局１００１は、ドナー基地局１００２に、当該ドナー基地局１００１の配下のセルＣｅｌｌ＿０−１に対応する隣接セルリストを通知する（ステップＳ２５０６）。ドナー基地局１００１のＣＰＵ１０６２は、ドナー基地局１００２に、当該ドナー基地局１００１の配下のセルＣｅｌｌ＿０−１に対応する隣接セルリストを通知する制御を行う。該セルＣｅｌｌ＿０−１に対応する隣接セルリストは、Ｌ２ＳＷ１０４を介して、伝送路インタフェース１０２に入力される。伝送路インタフェース１０２は、ドナー基地局１００２に、該セルＣｅｌｌ＿０−１に対応する隣接セルリストを通知する。
【０２５６】
ドナー基地局１００２は、リレーノード３００のハンドオーバ元のドナー基地局が、ドナー基地局１００１であることを認識する（ステップＳ２５０８）。つまり、ドナー基地局１００２のＣＰＵ１０６２は、リレーノード３００のハンドオーバ元のドナー基地局が、ドナー基地局１００１であることを認識する。
【０２５７】
ドナー基地局１００２は、ドナー基地局１００１に、当該ドナー基地局１００２の配下のセルＣｅｌｌ＿１−５に対応する隣接セルリストを通知する（ステップＳ２５１０）。ドナー基地局１００２のＣＰＵ１０６２は、ドナー基地局１００１に、当該ドナー基地局１００２の配下のセルＣｅｌｌ＿１−５に対応する隣接セルリストを通知する制御を行う。該セルＣｅｌｌ＿１−５に対応する隣接セルリストは、Ｌ２ＳＷ１０４を介して、伝送路インタフェース１０２に入力される。伝送路インタフェース１０２は、ドナー基地局１００１に、該セルＣｅｌｌ＿１−５に対応する隣接セルリストを通知する。
【０２５８】
ドナー基地局１００１は、当該ドナー基地局１００１の配下のセルＣｅｌｌ＿０−１に対応する隣接セルリストに含まれるセルの情報と、ステップＳ２５１０によりドナー基地局１００２から通知された隣接セルリストに含まれるセルの情報とを比較することにより、重複しないセルを表す情報を抽出する（ステップＳ２５１２）。つまり、ドナー基地局１００１のＣＰＵ１０６２は、当該ドナー基地局１００１の配下のセルＣｅｌｌ＿０−１に対応する隣接セルリストに含まれるセルの情報と、ステップＳ２５１０によりドナー基地局１００２から通知された隣接セルリストに含まれるセルの情報とを比較することにより、重複しないセルを表す情報を抽出する。ここで、重複しないセルを表す情報からハンドオーバ先のセルＣｅｌｌ＿０−５は除かれてもよい。
【０２５９】
ドナー基地局１００２は、当該ドナー基地局１００２の配下のセルＣｅｌｌ＿１−５に対応する隣接セルリストに含まれるセルの情報と、ステップＳ２５０６によりドナー基地局１００１から通知された隣接セルリストに含まれるセルの情報とを比較することにより、重複しないセルを表す情報を抽出する（ステップＳ２５１４）。つまり、ドナー基地局１００２のＣＰＵ１０６２、当該ドナー基地局１００２の配下のセルＣｅｌｌ＿１−５に対応する隣接セルリストに含まれるセルの情報と、ステップＳ２５０６によりドナー基地局１００１から通知された隣接セルリストに含まれるセルの情報とを比較することにより、重複しないセルを表す情報を抽出する。ここで、重複しないセルを表す情報からハンドオーバ元のセルＣｅｌｌ＿０−１は除かれてもよい。
【０２６０】
ドナー基地局１００１は、ステップＳ２５１２により重複しないセルとして抽出したセルを収容しているドナー基地局１００２、基地局２００１、及び２００２に、リレーノード３００の配下のセルを隣接セルリストから削除するように指示する（ステップＳ２５１６）。つまり、ドナー基地局１００１ＣＰＵ１０６２は、ステップＳ２５１２により重複しないセルとして抽出したセルを収容しているドナー基地局１００２、基地局２００１、及び２００２に、リレーノード３００の配下のセルを隣接セルリストから削除するように指示する。この場合、ハンドオーバ先のセルは、除外されているので削除されない。図２３に示される例では、ドナー基地局１００２については重複しないセルはないので、ドナー基地局１００２に、「削除隣接セル数」として「０」が指定された隣接セルリスト更新情報が送信される。基地局１００２についてはセルＣｅｌｌ＿ｅ１−５が重複しないセルとなるので、基地局１００２に、「削除隣接セル数」として「１」が指定され、且つ「隣接セル情報」として「セルＣｅｌｌ＿ｅ１−５」が指定された隣接セルリスト更新情報が送信される。
【０２６１】
ステップＳ２５１６による指示に従って、ドナー基地局１００２、基地局２００２は、隣接セルリストを更新する（ステップＳ２５１８、Ｓ２５２０）。つまり、ステップＳ２５１６による指示に従って、ドナー基地局１００２のＣＰＵ１０６２、基地局２００２のＣＰＵ２０６２は、隣接セルリストを更新する。
【０２６２】
ドナー基地局１００１は、当該ドナー基地局１００１の配下のセルＣｅｌｌ＿０−０、Ｃｅｌｌ＿０−４、Ｃｅｌｌ＿０−５に対応する隣接セルリストから、リレーノード３００の配下のセルを削除する（ステップＳ２５２２）。つまり、ドナー基地局１００１のＣＰＵ１０６２は、当該ドナー基地局１００１の配下のセルＣｅｌｌ＿０−０、Ｃｅｌｌ＿０−４、Ｃｅｌｌ＿０−５に対応する隣接セルリストから、リレーノード３００の配下のセルを削除する。ドナー基地局１００１については、セルＣｅｌｌ＿０−０、Ｃｅｌｌ＿０−４、Ｃｅｌｌ＿０−５が重複しないためである。
【０２６３】
ドナー基地局１００２は、ステップＳ２５１４により重複しないセルとして抽出したセルを収容しているドナー基地局１００１、及び１００２、基地局２００１、及び２００２に、リレーノード３００の配下のセルを隣接セルリストに追加するように指示する（ステップＳ２５２４）。つまり、ドナー基地局１００２のＣＰＵ１０６２は、ステップＳ２５１４により重複しないセルとして抽出したセルを収容しているドナー基地局１００１、及び１００２、基地局２００１、及び２００２に、リレーノード３００の配下のセルを隣接セルリストに追加するように指示する。この場合、ハンドオーバ元のセルは、除外されているので追加されない。図２３に示される例では、ドナー基地局１００１、基地局２００２については重複しないセルはないので、ドナー基地局１００１、基地局２００２に、「追加隣接セル数」として「０」が指定された隣接セルリスト更新情報が送信される。基地局１００１についてはセルＣｅｌｌ＿ｅ０−０、及びＣｅｌｌ＿ｅ０−１が重複しないセルとなるので、基地局１００１に、「追加隣接セル数」として「２」が指定され、且つ「追加セル情報」として「セルＣｅｌｌ＿ｅ０−０」、及び「セルＣｅｌｌ＿ｅ０−１」が指定された隣接セルリスト更新情報が送信される。
【０２６４】
ステップＳ２５２４による指示に従って、基地局２００１、ドナー基地局１００１、基地局２００２は、隣接セルリストを更新する（ステップＳ２５２６、Ｓ２５２８、Ｓ２５３０）。つまり、ステップＳ２５２４による指示に従って、基地局２００１のＣＰＵ２０６２、ドナー基地局１００１のＣＰＵ１０６２、基地局２００２のＣＰＵ２０６２は、隣接セルリストを更新する。
【０２６５】
ドナー基地局１００２は、当該ドナー基地局１００２の配下のセルＣｅｌｌ＿１−１、Ｃｅｌｌ＿１−２、Ｃｅｌｌ＿１−３、Ｃｅｌｌ＿１−４に対応する隣接セルリストに、リレーノード３００の配下のセルを追加する（ステップＳ２５３２）。つまり、ドナー基地局１００２のＣＰＵ１０６２は、当該ドナー基地局１００２の配下のセルＣｅｌｌ＿１−１、Ｃｅｌｌ＿１−２、Ｃｅｌｌ＿１−３、Ｃｅｌｌ＿１−４に対応する隣接セルリストに、リレーノード３００の配下のセルを追加する。ドナー基地局１００２については、セルＣｅｌｌ＿１−１、Ｃｅｌｌ＿１−２、Ｃｅｌｌ＿１−３、及びＣｅｌｌ＿１−４が重複しないためである。
【０２６６】
ステップＳ２５３２による処理が行われた後、第１の実施例に記載された処理が実行される。
【０２６７】
本実施例によれば、リレーノードの配下のセルの隣接セルとなる可能性があるセルを配下に有するドナー基地局及び基地局の少なくとも一方は、リレーノードのハンドオーバ元となるセルとハンドオーバ先となるセルの双方に隣接するセルをリレーノードのハンドオーバの際に把握させることができる。
【０２６８】
また、リレーノードの配下のセルと隣接セルになる可能性があるセルを配下に有するドナー基地局及び基地局の少なくとも一方は、リレーノードのハンドオーバの際の隣接セルリストの最適化を行うことができる。具体的には、ハンドオーバ元のセルに対応する隣接セルリストに含まれるセルを表す情報と、ハンドオーバ先のセルに対応する隣接セルリストに含まれるセルを表す情報とを比較することができるため、重複するセルを検出できる。このため、リレーノードをハンドオーバさせる際の隣接セルリストの更新を効率的に行うことができる。
【０２６９】
以上の実施例を含む実施形態に関し、更に以下の付記を開示する。
（付記１）
リレーノードと通信を行う基地局であって、
他の基地局の配下のセルから、当該基地局の配下のセルに、リレーノードをハンドオーバさせる制御を行う際に、該リレーノードに、ハンドオーバ先のセルに隣接するセルの無線品質の測定を依頼し、
該依頼に従って前記リレーノードにより通知された無線品質の測定結果に基づいて、前記リレーノードにより通知された無線品質の測定結果が所定の閾値よりよいことを表すセルに対応する隣接セルリストに前記リレーノードの配下のセルを追加し、前記リレーノードにより通知された無線品質の測定結果が所定の閾値より悪いことを表すセルに対応する隣接セルリストから前記リレーノードの配下のセルを削除することにより当該基地局の配下のセルに対応する隣接セルリストを更新する制御部
を有する、基地局。
（付記２）
付記１に記載の基地局において、
前記制御部は、前記依頼に従って前記リレーノードにより通知された無線品質の測定結果に基づいて、ハンドオーバ先のセルに隣接するセルを配下に有する基地局に、隣接セルリストを更新する指示を行う、基地局。
（付記３）
付記２に記載の基地局において、
前記制御部は、前記リレーノードにより測定された無線品質が所定の閾値よりよいセルを配下に有する基地局に、前記リレーノードの配下のセルを追加することを指示する信号を送信し、前記リレーノードにより測定された無線品質が所定の閾値より悪いセルを配下に有する基地局に、前記リレーノードの配下のセルを追加することを指示する信号を送信する、基地局。
（付記４）
リレーノードと通信を行う基地局における通信方法であって、
他の基地局の配下のセルから、当該基地局の配下のセルに、リレーノードをハンドオーバさせる制御を行う際に、該リレーノードに、ハンドオーバ先のセルに隣接するセルの無線品質の測定を依頼する無線品質測定依頼ステップと、
該無線品質測定依頼ステップによる依頼に従って前記リレーノードにより通知された無線品質の測定結果に基づいて、前記リレーノードにより通知された無線品質の測定結果が所定の閾値よりよいことを表すセルに対応する隣接セルリストに前記リレーノードの配下のセルを追加し、前記リレーノードにより通知された無線品質の測定結果が所定の閾値より悪いことを表すセルに対応する隣接セルリストから前記リレーノードの配下のセルを削除することにより当該基地局の配下のセルに対応する隣接セルリストを更新する隣接セルリスト更新ステップと
を有する、通信方法。
（付記５）
リレーノードと、該リレーノードと通信を行う基地局とを有する無線通信システムであって、
前記基地局は、
他の基地局の配下のセルから、当該基地局の配下のセルに、リレーノードをハンドオーバさせる制御を行う際に、該リレーノードに、ハンドオーバ先のセルに隣接するセルの無線品質の測定を依頼し、
該依頼に従って前記リレーノードにより通知された無線品質の測定結果に基づいて、前記リレーノードにより通知された無線品質の測定結果が所定の閾値よりよいことを表すセルに対応する隣接セルリストに前記リレーノードの配下のセルを追加し、前記リレーノードにより通知された無線品質の測定結果が所定の閾値より悪いことを表すセルに対応する隣接セルリストから前記リレーノードの配下のセルを削除することにより当該基地局の配下のセルに対応する隣接セルリストを更新する第１の制御部
を有し、
前記リレーノードは、
前記基地局からの前記ハンドオーバ先のセルに隣接するセルの無線品質の測定の依頼に応じて、該ハンドオーバ先のセルに隣接するセルの無線品質の測定を制御し、
該制御に従って測定された前記ハンドオーバ先のセルに隣接するセルの無線品質がよいかどうかを判定する第２の制御部と、
前記基地局に、前記制御部により判定された結果を通知する無線インタフェースと
を有する、無線通信システム。
（付記６）
付記１に記載の基地局において、
前記リレーノードに、該リレーノードのハンドオーバ先のセルに対応する隣接セルリストを含む無線品質の測定を依頼する信号を送信する無線インタフェース
を有する、基地局。
（付記７）
付記２又は３に記載の基地局において、
Ｘ２インタフェースにより、前記ハンドオーバ先のセルに隣接するセルを配下に有する基地局に、隣接セルリストを更新する指示を行う伝送路インタフェースを有する、基地局。
（付記８）
付記１に記載の基地局であって、
前記制御部は、他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出し、
該重複しないセルを表す情報に基づいて、該重複しないセルを配下に有する基地局に対して、該重複しないセルに対応する隣接セルリストから、前記リレーノードの配下のセルを削除することにより更新することを依頼し、
前記重複しないセルを表す情報に基づいて、該重複しないセルに対応する隣接セルリストから、前記リレーノードの配下のセルを削除することにより隣接セルリストを更新する、基地局。
（付記９）
付記８に記載の基地局において、
前記制御部は、他の基地局の配下のセルから、当該基地局の配下のセルに、リレーノードをハンドオーバさせる制御を行う際に、該他の基地局からのハンドオーバ元となるセルに隣接するセルの情報を含む隣接セルリストと、ハンドオーバ先となるセルに隣接するセルの情報を含む隣接セルリストとの間で、重複しないセルを表す情報を抽出し、
該重複しないセルを表す情報に基づいて、該重複しないセルに対応する隣接セルリストに、前記リレーノードの配下のセルを追加することにより隣接セルリストを更新し、
前記重複しないセルを表す情報に基づいて、該重複しないセルを配下に有する基地局に対して、該重複しないセルに対応する隣接セルリストに、前記リレーノードの配下のセルを追加することにより更新することを依頼する、基地局。
（付記１０）
付記８又は９に記載の基地局において、
前記制御部は、Ｘ２インタフェースにより、前記重複しないセルを配下に有する基地局に対して、隣接セルリストを更新することを依頼する、基地局。
（付記１１）
付記４に記載の通信方法において、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出する隣接セルリスト比較ステップと、
該隣接セルリスト比較ステップにより抽出された重複しないセルを表す情報に基づいて、該重複しないセルを配下に有する基地局に対して、該重複しないセルに対応する隣接セルリストから、前記リレーノードの配下のセルを削除することにより更新することを依頼する隣接セルリスト更新指示ステップと
を有し、
前記隣接セルリスト更新ステップは、前記隣接セルリスト比較ステップにより抽出された重複しないセルを表す情報に基づいて、該重複しないセルに対応する隣接セルリストから、前記リレーノードの配下のセルを削除することにより隣接セルリストを更新する、通信方法。
（付記１２）
付記５に記載の無線通信システムにおいて、
前記第１の制御部は、
他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出し、
該重複しないセルを表す情報に基づいて、該重複しないセルに対応する隣接セルリストから、前記リレーノードの配下のセルを削除することにより隣接セルリストを更新し、
該重複しないセルを表す情報に基づいて、該重複しないセルを配下に有する基地局に対して、該重複しないセルに対応する隣接セルリストから、前記リレーノードの配下のセルを削除することにより更新することを依頼し、
前記他の基地局は、
前記基地局の配下のセルから、前記リレーノードをハンドオーバさせる制御を行う際に、該基地局からのハンドオーバ元となるセルに隣接するセルの情報を含む隣接セルリストと、ハンドオーバ先となるセルに隣接するセルの情報を含む隣接セルリストとの間で、重複しないセルを表す情報を抽出し、
該重複しないセルを表す情報に基づいて、該重複しないセルに対応する隣接セルリストに、前記リレーノードの配下のセルを追加することにより隣接セルリストを更新し、
該重複しないセルを表す情報に基づいて、該重複しないセルを配下に有する基地局に対して、該重複しないセルに対応する隣接セルリストに、前記リレーノードの配下のセルを追加することにより更新することを依頼する第３の制御部と
を有する、無線通信システム。
（付記１３）
付記９に記載の基地局において、
前記制御部は、前記他の基地局からの前記リレーノードの配下のセルを追加することを依頼する信号に従って、前記リレーノードの配下のセルを追加することにより更新する、基地局。
（付記１４）
付記８に記載の基地局において、
前記制御部は、他の基地局の配下のセルに、リレーノードをハンドオーバさせる制御を行う際に、該他の基地局からのハンドオーバ先となるセルに隣接するセルの情報を含む隣接セルリストと、ハンドオーバ元となるセルに隣接するセルの情報を含む隣接セルリストとの間で、重複しないセルを表す情報を抽出する際に、ハンドオーバ先となるセルを除外する、基地局。
（付記１５）
付記９に記載の基地局において、
前記制御部は、他の基地局の配下のセルから、当該基地局の配下のセルに、リレーノードをハンドオーバさせる制御を行う際に、該他の基地局からのハンドオーバ元となるセルに隣接するセルの情報を含む隣接セルリストと、ハンドオーバ先となるセルに隣接するセルの情報を含む隣接セルリストとの間で、重複しないセルを表す情報を抽出する際に、ハンドオーバ元となるセルを除外する、基地局。
（付記１６）
付記８に記載の基地局において、
他の基地局の配下のセルに、リレーノードをハンドオーバさせる制御を行う際に、該他の基地局に、当該基地局の配下のセルのうち、ハンドオーバ元となるセルに隣接するセルの情報を含む隣接セルリストを通知する伝送路インファフェース
を有する、基地局。
（付記１７）
付記９に記載の基地局において、
他の基地局の配下のセルから、当該基地局の配下のセルに、リレーノードをハンドオーバさせる制御を行う際に、該他の基地局に、当該基地局の配下のセルのうち、ハンドオーバ先となるセルに隣接するセルの情報を含む隣接セルリストを通知する伝送路インファフェース
を有する、基地局。
【符号の説明】
【０２７０】
１００ｎ（ｎは、ｎ＞０の整数）  ドナー基地局
１０２  伝送路インタフェース
１０４  Ｌ２ＳＷ
１０６  制御部
１０６２  ＣＰＵ
１０６４  ＭＥＭ
１０６６  メッセージ分析部
１０６８  プロトコル処理部
１０７０  ハンドオーバ制御部
１０７２  ハンドオーバ処理部
１０７４  無線品質測定依頼部
１０７６  隣接セルリスト更新部
１０７８  隣接セルリスト更新指示部
１０８０  隣接セルリスト比較部
１０８  ベースバンド処理部
１０８２  ＤＳＰ
１０８４  ＭＥＭ
１１０１、１１０２、１１０３  Ｉ／Ｏｐｏｒｔ
１１２１、１１２２、１１２３  Ａ／Ｄ変換回路
１１４１、１１４２、１１４３  広帯域ＡＭＰ
１１６１、１１６２、１１６３  アンテナ
１１８  無線インタフェース
１５０１１、１５０１２、１５０１３  セル
１５０２１、１５０２２、１５０２３  セル
２００  基地局
２０２  伝送路インタフェース
２０４  Ｌ２ＳＷ
２０６  制御部
２０６２  ＣＰＵ
２０６４  ＭＥＭ
２０６６  メッセージ分析部
２０６８  プロトコル処理部
２０７０  ハンドオーバ制御部
２０７２  ハンドオーバ処理部
２０７４  隣接セルリスト更新部
２０８  ベースバンド処理部
２０８２  ＤＳＰ
２０８４  ＭＥＭ
２１０１、２１０２、２１０３  Ｉ／Ｏｐｏｒｔ
２１２１、２１２２、２１２３  Ａ／Ｄ変換回路
２１４１、２１４２、２１４３  広帯域ＡＭＰ
２１６１、２１６２、２１６３  アンテナ
２１８  無線インタフェース
３００  リレーノード
３０２  制御部
３０２２  ＣＰＵ
３０２４  ＭＥＭ
３０２６  メッセージ分析部
３０２８  プロトコル処理部
３０３０  ハンドオーバ制御部
３０３２  ハンドオーバ処理部
３０３４  無線品質測定制御部
３０３６  無線品質情報判定部
３０４  ＵＳＩＭ
３０６  Ｌ２ＳＷ
３０８  ベースバンド処理部
３０８２  ＤＳＰ
３０８４  ＭＥＭ
３１０  Ｉ／Ｏｐｏｒｔ
３１２  Ａ／Ｄ変換回路
３１４  広帯域ＡＭＰ
３１６  アンテナ
３１８  無線インタフェース
３５０  セル
４００ｍ（ｍは、ｍ＞０の整数  ユーザ端末
５００  ＩＰネットワーク
５５０  インタフェース
６００  交換機
７００  ＨＳＳ
【図１】
0005742532.tif 000002
【図２】
0005742532.tif 000003
【図３】
0005742532.tif 000004
【図４】
0005742532.tif 000005
【図５】
0005742532.tif 000006
【図６】
0005742532.tif 000007
【図７】
0005742532.tif 000008
【図８】
0005742532.tif 000009
【図９】
0005742532.tif 000010
【図１０】
0005742532.tif 000011
【図１１】
0005742532.tif 000012
【図１２】
0005742532.tif 000013
【図１３】
0005742532.tif 000014
【図１４】
0005742532.tif 000015
【図１５】
0005742532.tif 000016
【図１６】
0005742532.tif 000017
【図１７】
0005742532.tif 000018
【図１８】
0005742532.tif 000019
【図１９】
0005742532.tif 000020
【図２０】
0005742532.tif 000021
【図２１】
0005742532.tif 000022
【図２２】
0005742532.tif 000023
【図２３】
0005742532.tif 000024
【図２４】
0005742532.tif 000025
【図２５】
0005742532.tif 000026